(57)【要約】      （修正有）【課題】ピアツーピア通信と広域ネットワーク（ＷＡＮ）通信とをサポートするための技法を提供する。【解決手段】Ｐ２Ｐ通信は、アップリンク・スペクトルでサポートされる。ユーザ機器（ＵＥ）は、（ｉ）ＷＡＮ通信のためにダウンリンク・スペクトルとアップリンク・スペクトルの両方で基地局と、また（ｉｉ）Ｐ２Ｐ通信のためにアップリンク・スペクトルのみで別のＵＥと、通信する。別の態様では、Ｐ２Ｐ通信は、２つのＵＥのためにダウンリンクとアップリンクとを（または送信リンクと受信リンクとを）時分割多重化することによってサポートされる。さらに別の態様では、ＷＡＮ通信およびＰ２Ｐ通信は時分割多重化され、それにより両方がＵＥによって同時にサポートされる。さらに別の態様では、ＷＡＮ送信とＰ２Ｐ送信との間の干渉を避けるために、これらの送信間の送信ギャップがもたらされる。【選択図】図７
2014212541.tif 000002
【特許請求の範囲】
【請求項１】
ワイヤレス通信のための方法であって、
広域ネットワーク（ＷＡＮ）通信のためにダウンリンク・スペクトルとアップリンク・スペクトルの両方で第１のユーザ機器（ＵＥ）によって基地局と通信することと、
ピアツーピア（Ｐ２Ｐ）通信のために前記アップリンク・スペクトルのみで前記第１のＵＥによって第２のＵＥと通信することと、
を備える方法。
【請求項２】
前記基地局と前記通信することは、前記基地局に対し前記アップリンク・スペクトルの第１の部分でデータを送信することを備え、前記第２のＵＥと前記通信することは、前記第２のＵＥに対し前記アップリンク・スペクトルの第２の部分でデータを送信することを備える、請求項１に記載の方法。
【請求項３】
前記基地局と前記通信することは、前記基地局に対し第１のサブフレームにおいて前記アップリンク・スペクトルでデータを送信することを備え、前記第２のＵＥと前記通信することは、前記第２のＵＥに対し第２のサブフレームにおいて前記アップリンク・スペクトルでデータを送信することを備える、請求項１に記載の方法。
【請求項４】
ワイヤレス通信のための装置であって、
広域ネットワーク（ＷＡＮ）通信のためにダウンリンク・スペクトルとアップリンク・スペクトルの両方で第１のユーザ機器（ＵＥ）によって基地局と通信するための手段と、
ピアツーピア（Ｐ２Ｐ）通信のために前記アップリンク・スペクトルのみで前記第１のＵＥによって第２のＵＥと通信するための手段と、
を備える装置。
【請求項５】
前記基地局と通信するための前記手段は、前記基地局に対し前記アップリンク・スペクトルの第１の部分でデータを送信するための手段を備え、前記第２のＵＥと通信するための前記手段は、前記第２のＵＥに対し前記アップリンク・スペクトルの第２の部分でデータを送信するための手段を備える、請求項４に記載の装置。
【請求項６】
前記基地局と通信するための前記手段は、前記基地局に対し第１のサブフレームにおいて前記アップリンク・スペクトルでデータを送信するための手段を備え、前記第２のＵＥと通信するための前記手段は、前記第２のＵＥに対し第２のサブフレームにおいて前記アップリンク・スペクトルでデータを送信するための手段を備える、請求項４に記載の装置。
【請求項７】
ワイヤレス通信のための装置であって、
広域ネットワーク（ＷＡＮ）通信のためにダウンリンク・スペクトルとアップリンク・スペクトルの両方で第１のユーザ機器（ＵＥ）によって基地局と通信し、ピアツーピア（Ｐ２Ｐ）通信のために前記アップリンク・スペクトルのみで前記第１のＵＥによって第２のＵＥと通信するように構成された少なくとも１つのプロセッサを備える装置。
【請求項８】
前記少なくとも１つのプロセッサは、前記基地局に対し前記アップリンク・スペクトルの第１の部分でデータを送信し、前記第２のＵＥに対し前記アップリンク・スペクトルの第２の部分でデータを送信するように構成される、請求項７に記載の装置。
【請求項９】
前記少なくとも１つのプロセッサは、前記基地局に対し第１のサブフレームにおいて前記アップリンク・スペクトルでデータを送信し、前記第２のＵＥに対し第２のサブフレームにおいて前記アップリンク・スペクトルでデータを送信するように構成される、請求項７に記載の装置。
【請求項１０】
広域ネットワーク（ＷＡＮ）通信のためにダウンリンク・スペクトルとアップリンク・スペクトルの両方で第１のユーザ機器（ＵＥ）によって基地局と通信することを、少なくとも１つのプロセッサに行わせるためのコードと、
ピアツーピア（Ｐ２Ｐ）通信のために前記アップリンク・スペクトルのみで前記第１のＵＥによって第２のＵＥと通信することを、前記少なくとも１つのプロセッサに行わせるためのコードと、
を備える非一時的コンピュータ可読媒体を備えるコンピュータプログラム製品。
【請求項１１】
ワイヤレス通信のための方法であって、
ピアツーピア（Ｐ２Ｐ）通信のために第１のサブフレームにおいて指定スペクトルで第１のユーザ機器（ＵＥ）から第２のＵＥにデータを送信することと、
Ｐ２Ｐ通信のために第２のサブフレームにおいて前記指定スペクトルで前記第２のＵEによって前記第１のＵＥに送られたデータを受信することと、を備え、前記第１のサブフレームは前記第２のサブフレームと時分割多重化（ＴＤＭ）される、方法。
【請求項１２】
前記第１のサブフレームおよび前記第２のサブフレームは、時分割複信（ＴＤＤ）を利用する基地局に関する２つのアップリンク・サブフレームに対応する、請求項１１に記載の方法。
【請求項１３】
前記第１のサブフレームおよび前記第２のサブフレームは、周波数分割複信（ＦＤＤ）を利用し、アップリンク・スペクトルおよびダウンリンク・スペクトルで動作する基地局に関する前記アップリンク・スペクトル向けの２つのサブフレームに対応する、請求項１１に記載の方法。
【請求項１４】
広域エリアネットワーク（ＷＡＮ）通信のために第３のサブフレームにおいて前記第１のＵＥによって基地局と通信すること、をさらに備え、前記第３のサブフレームは、前記第１のサブフレームおよび前記第２のサブフレームと時分割多重化される、請求項１１に記載の方法。
【請求項１５】
ワイヤレス通信のための装置であって、
ピアツーピア（Ｐ２Ｐ）通信のために第１のサブフレームにおいて指定スペクトルで第１のユーザ機器（ＵＥ）から第２のＵＥにデータを送信するための手段と、
Ｐ２Ｐ通信のために第２のサブフレームにおいて前記指定スペクトルで前記第２のＵEによって前記第１のＵＥに送られたデータを受信するための手段と、
を備え、前記第１のサブフレームは前記第２のサブフレームと時分割多重化（ＴＤＭ）される、装置。
【請求項１６】
前記第１のサブフレームおよび前記第２のサブフレームは、時分割複信（ＴＤＤ）を利用する基地局に関する２つのアップリンク・サブフレームに対応する、請求項１５に記載の装置。
【請求項１７】
前記第１のサブフレームおよび前記第２のサブフレームは、周波数分割複信（ＦＤＤ）を利用し、アップリンク・スペクトルおよびダウンリンク・スペクトルで動作する基地局に関する前記アップリンク・スペクトル向けの２つのサブフレームに対応する、請求項１５に記載の装置。
【請求項１８】
ワイヤレス通信のための装置であって、
ピアツーピア（Ｐ２Ｐ）通信のために第１のサブフレームにおいて指定スペクトルで第１のユーザ機器（ＵＥ）から第２のＵＥにデータを送信し、Ｐ２Ｐ通信のために第２のサブフレームにおいて前記指定スペクトルで前記第２のＵＥによって前記第１のＵＥに送られたデータを受信するように構成された少なくとも１つのプロセッサを備え、前記第１のサブフレームは前記第２のサブフレームと時分割多重化（ＴＤＭ）される、装置。
【請求項１９】
前記第１のサブフレームおよび前記第２のサブフレームは、時分割複信（ＴＤＤ）を利用する基地局に関する２つのアップリンク・サブフレームに対応する、請求項１８に記載の装置。
【請求項２０】
前記第１のサブフレームおよび前記第２のサブフレームは、周波数分割複信（ＦＤＤ）を利用し、アップリンク・スペクトルおよびダウンリンク・スペクトルで動作する基地局に関する前記アップリンク・スペクトル向けの２つのサブフレームに対応する、請求項１８に記載の装置。
【請求項２１】
ピアツーピア（Ｐ２Ｐ）通信のために第１のサブフレームにおいて指定スペクトルで第１のユーザ機器（ＵＥ）から第２のＵＥにデータを送信することを、少なくとも１つのプロセッサに行わせるためのコードと、
Ｐ２Ｐ通信のために第２のサブフレームにおいて前記指定スペクトルで前記第２のＵEによって前記第１のＵＥに送られたデータを受信することであって、前記第１のサブフレームは前記第２のサブフレームと時分割多重化（ＴＤＭ）されることを、前記少なくとも１つのプロセッサに行わせるためのコードと、
を備える非一時的コンピュータ可読媒体を備えるコンピュータプログラム製品。
【請求項２２】
ワイヤレス通信のための方法であって、
広域ネットワーク（ＷＡＮ）通信のために少なくとも１つの第１のサブフレームにおいて第１のユーザ機器（ＵＥ）によって基地局と通信することと、
少なくとも１つの第２のサブフレームにおいて前記第１のＵＥによって第２のＵＥと通信することとを備え、前記少なくとも１つの第１のサブフレームは前記少なくとも１つの第２のサブフレームと時分割多重化（ＴＤＭ）される、方法。
【請求項２３】
前記基地局は、周波数分割複信（ＦＤＤ）を利用し、ダウンリンク・スペクトルおよびアップリンク・スペクトルで動作し、前記少なくとも１つの第１のサブフレームおよび前記少なくとも１つの第２のサブフレームは、前記アップリンク・スペクトル向けのサブフレームに対応する、請求項２２に記載の方法。
【請求項２４】
前記基地局は、時分割複信（ＴＤＤ）を利用し、前記少なくとも１つの第２のサブフレームは、前記基地局に関する少なくとも１つのダウンリンク・サブフレーム、または前記基地局に関する少なくとも１つのアップリンク・サブフレーム、または少なくとも１つのダウンリンク・サブフレームと少なくとも１つのアップリンク・サブフレームの両方に対応する、請求項２２に記載の方法。
【請求項２５】
前記基地局と前記通信すること、および前記第２のＵＥと前記通信することは、同時に生じる、請求項２２に記載の方法。
【請求項２６】
ワイヤレス通信のための装置であって、
広域ネットワーク（ＷＡＮ）通信のために少なくとも１つの第１のサブフレームにおいて第１のユーザ機器（ＵＥ）によって基地局と通信するための手段と、
少なくとも１つの第２のサブフレームにおいて前記第１のＵＥによって第２のＵＥと通信するための手段とを備え、前記少なくとも１つの第１のサブフレームは前記少なくとも１つの第２のサブフレームと時分割多重化（ＴＤＭ）される、装置。
【請求項２７】
前記基地局は、周波数分割複信（ＦＤＤ）を利用し、ダウンリンク・スペクトルおよびアップリンク・スペクトルで動作し、前記少なくとも１つの第１のサブフレームおよび前記少なくとも１つの第２のサブフレームは、前記アップリンク・スペクトル向けのサブフレームに対応する、請求項２６に記載の装置。
【請求項２８】
前記基地局は、時分割複信（ＴＤＤ）を利用し、前記少なくとも１つの第２のサブフレームは、前記基地局に関する少なくとも１つのダウンリンク・サブフレーム、または前記基地局に関する少なくとも１つのアップリンク・サブフレーム、または少なくとも１つのダウンリンク・サブフレームと少なくとも１つのアップリンク・サブフレームの両方に対応する、請求項２６に記載の装置。
【請求項２９】
前記基地局との通信および前記第２のＵＥとの通信は同時に生じる、請求項２６に記載の装置。
【請求項３０】
ワイヤレス通信のための装置であって、
広域ネットワーク（ＷＡＮ）通信のために少なくとも１つの第１のサブフレームにおいて第１のユーザ機器（ＵＥ）によって基地局と通信し、少なくとも１つの第２のサブフレームにおいて前記第１のＵＥによって第２のＵＥと通信するように構成された少なくとも１つのプロセッサを備え、前記少なくとも１つの第１のサブフレームは前記少なくとも１つの第２のサブフレームと時分割多重化（ＴＤＭ）される、装置。
【請求項３１】
前記基地局は、周波数分割複信（ＦＤＤ）を利用し、ダウンリンク・スペクトルおよびアップリンク・スペクトルで動作し、前記少なくとも１つの第１のサブフレームおよび前記少なくとも１つの第２のサブフレームは、前記アップリンク・スペクトル向けのサブフレームに対応する、請求項３０に記載の装置。
【請求項３２】
前記基地局は、時分割複信（ＴＤＤ）を利用し、前記少なくとも１つの第２のサブフレームは、前記基地局に関する少なくとも１つのダウンリンク・サブフレーム、または前記基地局に関する少なくとも１つのアップリンク・サブフレーム、または少なくとも１つのダウンリンク・サブフレームと少なくとも１つのアップリンク・サブフレームの両方に対応する、請求項３０に記載の装置。
【請求項３３】
前記少なくとも１つのプロセッサは、前記基地局および前記第２のＵＥと同時に通信するように構成される、請求項３０に記載の装置。
【請求項３４】
広域ネットワーク（ＷＡＮ）通信のために少なくとも１つの第１のサブフレームにおいて第１のユーザ機器（ＵＥ）によって基地局と通信することを、少なくとも１つのプロセッサに行わせるためのコードと、
少なくとも１つの第２のサブフレームにおいて前記第１のＵＥによって第２のＵＥと通信することであって、前記少なくとも１つの第１のサブフレームは前記少なくとも１つの第２のサブフレームと時分割多重化（ＴＤＭ）されることを、前記少なくとも１つのプロセッサに行わせるためのコードと、
を備える非一時的コンピュータ可読媒体を備えるコンピュータプログラム製品。
【請求項３５】
ワイヤレス通信のための方法であって、
広域ネットワーク（ＷＡＮ）通信のために第１のユーザ機器（ＵＥ）によって基地局に第１のサブフレームにおいて第１のデータ送信を送ることと、
ピアツーピア（Ｐ２Ｐ）通信のために第２のＵＥによって前記第１のＵＥに対し第２のサブフレームにおいて送られた第２のデータ送信を受信することと、を備え、前記第２のデータ送信は、送信ギャップによって前記第１のデータ送信から分離される、方法。
【請求項３６】
前記第１のデータ送信の少なくとも１サブフレーム後に送られるように、またはサブフレームの送信部分と受信部分との間のギャップを備える前記サブフレームにおいて送られるように前記第２のデータ送信をスケジュールすることによって、前記送信ギャップが取得される、請求項３５に記載の方法。
【請求項３７】
前記送信ギャップを取得するために前記第１のデータ送信の最後の部分を削除すること、
をさらに備える、請求項３５に記載の方法。
【請求項３８】
前記第１のデータ送信の前記最後の部分を前記削除することは、前記第１のＵＥのためのサウンディング基準信号（ＳＲＳ）構成に基づいて前記第１のデータ送信の最後のシンボル期間を削除することを備える、請求項３７に記載の方法。
【請求項３９】
ＷＡＮ通信向けの前記第１のＵＥの送信タイミングに対してＰ２Ｐ通信向けの前記第１のＵＥの送信タイミングを遅行させること、
をさらに備える、請求項３５に記載の方法。
【請求項４０】
ＷＡＮ通信向けの前記第１のＵＥの送信タイミングに対してＰ２Ｐ通信向けの前記第１のＵＥの送信タイミングを先行させることをさらに備える、請求項３５に記載の方法。
【請求項４１】
前記送信ギャップは、前記第１のデータ送信の最後の部分を削除することによって取得される、請求項４０に記載の方法。
【請求項４２】
サブフレームの送信部分と受信部分との間のギャップを備える前記サブフレームにおいて前記第１のデータ送信または前記第２のデータ送信が送られることによって、前記送信ギャップが取得される、請求項３５に記載の方法。
【請求項４３】
Ｐ２Ｐ通信のために前記第２のＵＥによって前記第１のＵＥに対し第３のサブフレームにおいて送られた第３のデータ送信を受信することと、
ＷＡＮ通信のために前記第１のＵＥによって前記基地局に対し第４のサブフレームにおいて第４のデータ送信を送ることと、
をさらに備え、前記第４のデータ送信は、第２の送信ギャップによって前記第３のデータ送信から分離される、請求項３５に記載の方法。
【請求項４４】
ＷＡＮ通信向けの前記第１のＵＥの受信タイミングに対してＷＡＮ通信向けの前記第１のＵＥの送信タイミングを先行させることをさらに備える、請求項３５に記載の方法。
【請求項４５】
ワイヤレス通信のための装置であって、
広域ネットワーク（ＷＡＮ）通信のために第１のユーザ機器（ＵＥ）によって基地局に対し第１のサブフレームにおいて第１のデータ送信を送るための手段と、
ピアツーピア（Ｐ２Ｐ）通信のために第２のＵＥによって前記第１のＵＥに対し第２のサブフレームにおいて送られた第２のデータ送信を受信するための手段とを備え、前記第２のデータ送信は、送信ギャップによって前記第１のデータ送信から分離される、装置。
【請求項４６】
前記送信ギャップを取得するために前記第１のデータ送信の最後の部分を削除するための手段をさらに備える、請求項４５に記載の装置。
【請求項４７】
ＷＡＮ通信向けの前記第１のＵＥの送信タイミングに対してＰ２Ｐ通信向けの前記第１のＵＥの送信タイミングを遅行させるための手段をさらに備える、請求項４５に記載の装置。
【請求項４８】
ＷＡＮ通信向けの前記第１のＵＥの送信タイミングに対してＰ２Ｐ通信向けの前記第１のＵＥの送信タイミングを先行させるための手段をさらに備える、請求項４５に記載の装置。
【請求項４９】
Ｐ２Ｐ通信のために前記第２のＵＥによって前記第１のＵＥに対し第３のサブフレームにおいて送られた第３のデータ送信を受信するための手段と、
ＷＡＮ通信のために前記第１のＵＥによって前記基地局に対し第４のサブフレームにおいて第４のデータ送信を送るための手段と、
をさらに備え、前記第４のデータ送信は、第２の送信ギャップによって前記第３のデータ送信から分離される、請求項４５に記載の装置。
【請求項５０】
ワイヤレス通信のための装置であって、
広域ネットワーク（ＷＡＮ）通信のために第１のユーザ機器（ＵＥ）によって基地局に対し第１のサブフレームにおいて第１のデータ送信を送り、ピアツーピア（Ｐ２Ｐ）通信のために第２のＵＥによって前記第１のＵＥに対し第２のサブフレームにおいて送られた第２のデータ送信を受信するように構成された少なくとも１つのプロセッサを備え、前記第２のデータ送信は、送信ギャップによって前記第１のデータ送信から分離される、装置。
【請求項５１】
前記少なくとも１つのプロセッサは、前記送信ギャップを取得するために前記第１のデータ送信の最後の部分を削除するように構成される、請求項５０に記載の装置。
【請求項５２】
前記少なくとも１つのプロセッサは、ＷＡＮ通信向けの前記第１のＵＥの送信タイミングに対してＰ２Ｐ通信向けの前記第１のＵＥの送信タイミングを遅行させるように構成される、請求項５０に記載の装置。
【請求項５３】
前記少なくとも１つのプロセッサは、ＷＡＮ通信向けの前記第１のＵＥの送信タイミングに対してＰ２Ｐ通信向けの前記第１のＵＥの送信タイミングを先行させるように構成される、請求項５０に記載の装置。
【請求項５４】
前記少なくとも１つのプロセッサは、Ｐ２Ｐ通信のために前記第２のＵＥによって前記第１のＵＥに対し第３のサブフレームにおいて送られた第３のデータ送信を受信し、ＷＡＮ通信のために前記第１のＵＥによって前記基地局に対し第４のサブフレームにおいて第４のデータ送信を送るように構成され、前記第４のデータ送信は、第２の送信ギャップによって前記第３のデータ送信から分離される、請求項５０に記載の装置。
【請求項５５】
広域ネットワーク（ＷＡＮ）通信のために第１のユーザ機器（ＵＥ）によって基地局に対し第１のサブフレームにおいて第１のデータ送信を送ることを、少なくとも１つのプロセッサに行わせるためのコードと、
ピアツーピア（Ｐ２Ｐ）通信のために第２のＵＥによって前記第１のＵＥに対し第２のサブフレームにおいて送られた第２のデータ送信を受信することであって、前記第２のデータ送信は、送信ギャップによって前記第１のデータ送信から分離されることを、前記少なくとも１つのプロセッサに行わせるためのコードと、
を備える非一時的コンピュータ可読媒体を備えるコンピュータプログラム製品。
【発明の詳細な説明】
【技術分野】
【０００１】
本出願は、２０１０年４月１５日に出願され、参照により本明細書に全部組み込まれる「ＰＥＥＲ−ＴＯ−ＰＥＥＲ  ＣＯＭＭＵＮＩＣＡＴＩＯＮＳ  ＩＮ  ＬＯＮＧ  ＴＥＲＭ  ＥＶＯＬＵＴＩＯＮ  ＳＹＳＴＥＭ」と題する仮米国出願第６１／３２４，６１２号の優先権を主張する。
【０００２】
本開示は、一般に通信に関し、より詳細には、ピアツーピア（Ｐ２Ｐ）通信をサポートするための技法に関する。
【背景技術】
【０００３】
ワイヤレス通信ネットワークは、ボイス、ビデオ、パケットデータ、メッセージング、ブロードキャストなどの様々な通信コンテンツを提供するために広く展開されている。これらのワイヤレス・ネットワークは、利用可能なネットワーク・リソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。ワイヤレス通信ネットワークは、広域ネットワーク（ＷＡＮ）と呼ばれることもある。
【０００４】
ワイヤレス通信ネットワークは、いくつかのユーザ機器（ＵＥ）の通信をサポートすることができるいくつかの基地局を含むことができる。ＵＥは、基地局と通信することができる。ＵＥはまた、１つまたは複数の他のＵＥとピアツーピアに通信することが可能であり得る。ＵＥのＰ２Ｐ通信を効果的にサポートすることが望まれ得る。
【発明の概要】
【０００５】
本明細書では、Ｐ２Ｐ通信とＷＡＮ通信とをサポートするための技法について説明する。一態様では、Ｐ２Ｐ通信は、周波数分割複信（ＦＤＤ）展開においてＷＡＮによって使用されるアップリンク・スペクトルでサポートされ得る。１つの設計では、ＵＥは、ＷＡＮ通信のためにアップリンク・スペクトルとダウンリンク・スペクトルの両方で基地局と通信することができる。ＵＥは、Ｐ２Ｐ通信のためにアップリンク・スペクトルのみで別のＵＥと通信することがある。Ｐ２Ｐ送信は、アップリンク・スペクトルでＷＡＮ送信と時分割多重化（ＴＤＭ）され、かつ／または周波数分割多重化（ＦＤＭ）されることがある。
【０００６】
別の態様では、Ｐ２Ｐ通信は、２つのＵＥのためにダウンリンクとアップリンクとを（または送信リンクと受信リンクとを）時分割多重化することによってサポートされ得る。１つの設計では、第１のＵＥは、Ｐ２Ｐ通信のために第１のサブフレームにおいて１つのスペクトルで第２のＵＥにデータを送信することができる。第１のＵＥは、Ｐ２Ｐ通信のために第２のサブフレームにおいて同じスペクトルで第２のＵＥによって第１のＵＥに送られたデータを受信することができる。第１のサブフレームは、第２のサブフレームと時分割多重化され得る。スペクトルは、アップリンク・スペクトル、専用スペクトルなどであり得る。
【０００７】
さらに別の態様では、ＷＡＮ通信およびＰ２Ｐ通信は時分割多重化され、それにより両方が１つのＵＥによって同時にサポートされ得る。１つの設計では、第１のＵＥは、ＷＡＮ通信のために少なくとも１つの第１のサブフレームにおいて基地局と通信することができる。第１のＵＥは、少なくとも１つの第２のサブフレームにおいて第２のＵＥと通信することができ、少なくとも１つの第２のサブフレームは、少なくとも１つの第１のサブフレームと時分割多重化され得る。第１のＵＥは、異なるサブフレームにおいて基地局および第２のＵＥと同時通信することができる。
【０００８】
さらに別の態様では、ＷＡＮ送信とＰ２Ｐ送信との間の干渉を避けるために、これらの送信間の送信ギャップがもたらされ得る。１つの設計では、第１のＵＥは、ＷＡＮ通信のために基地局に対し第１のサブフレームにおいて第１のデータ送信を送ることができる。第１のＵＥは、Ｐ２Ｐ通信のために第２のＵＥによって第１のＵＥに対し第２のサブフレームにおいて送られた第２のデータ送信を受信することができる。第２のデータ送信は、送信ギャップによって第１のデータ送信から分離可能であり、この送信ギャップは後述のように様々な方法で取得され得る。
【０００９】
本開示の様々な態様および特徴について以下でさらに詳細に説明する。
【図面の簡単な説明】
【００１０】
【図１】Ｐ２Ｐ通信をサポートするワイヤレス・ネットワークを示す図。
【図２】周波数分割複信（ＦＤＤ）のためのフレーム構造を示す図。
【図３】時分割複信（ＴＤＤ）のためのフレーム構造を示す図。
【図４Ａ】ＨＡＲＱによるデータ送信の例を示す図。
【図４Ｂ】ＨＡＲＱによるデータ送信の例を示す図。
【図５】インターレース送信構造を示す図。
【図６Ａ】Ｐ２Ｐ通信をサポートするリソース区分方式を示す図。
【図６Ｂ】Ｐ２Ｐ通信をサポートするリソース区分方式を示す図。
【図６Ｃ】Ｐ２Ｐ通信をサポートするリソース区分方式を示す図。
【図７】ＦＤＤにおけるＰ２Ｐ通信に対するサブフレームの割振りを示す図。
【図８Ａ】図７に示すサブフレーム割振りの場合における同時のＰ２Ｐ通信とＷＡＮ通信とを示す図。
【図８Ｂ】図７に示すサブフレーム割振りの場合における同時のＰ２Ｐ通信とＷＡＮ通信とを示す図。
【図９Ａ】ＴＤＤにおけるＰ２Ｐ通信に対するサブフレームの割振りを示す図。
【図９Ｂ】ＴＤＤにおけるＰ２Ｐ通信に対するサブフレームの割振りを示す図。
【図９Ｃ】ＴＤＤにおけるＰ２Ｐ通信に対するサブフレームの割振りを示す図。
【図１０Ａ】図９Ｂに示すサブフレーム割振りの場合における同時のＰ２Ｐ通信とＷＡＮ通信とを示す図。
【図１０Ｂ】図９Ｂに示すサブフレーム割振りの場合における同時のＰ２Ｐ通信とＷＡＮ通信とを示す図。
【図１０Ｃ】図９Ｃに示すサブフレーム割振りの場合における同時のＰ２Ｐ通信とＷＡＮ通信とを示す図。
【図１０Ｄ】図９Ｃに示すサブフレーム割振りの場合における同時のＰ２Ｐ通信とＷＡＮ通信とを示す図。
【図１１】ＴＤＤにおける送信ギャップを取得するためのいくつかの方式を示す図。
【図１２Ａ】ＦＤＤにおける送信ギャップを取得するためのいくつかの方式を示す図。
【図１２Ｂ】ＦＤＤにおける送信ギャップを取得するためのいくつかの方式を示す図。
【図１２Ｃ】ＦＤＤにおける送信ギャップを取得するためのいくつかの方式を示す図。
【図１３】アップリンク・スペクトルでＰ２Ｐ通信をサポートするためのプロセスを示す図。
【図１４】Ｐ２Ｐ通信をサポートするためのプロセスを示す図。
【図１５】ＷＡＮ通信とＰ２Ｐ通信とをサポートするためのプロセスを示す図。
【図１６】ＷＡＮ送信とＰ２Ｐ送信との間の送信ギャップを取得するためのプロセスを示す図。
【図１７Ａ】ＵＥのブロック図。
【図１７Ｂ】基地局のブロック図。
【図１８】基地局およびＵＥの別のブロック図。
【発明を実施するための形態】
【００１１】
本明細書で説明する技法は、ＣＤＭＡ、ＴＤＭＡ、ＦＤＭＡ、ＯＦＤＭＡ、ＳＣ−ＦＤＭＡおよび他のワイヤレス・ネットワークなど、様々なワイヤレス通信ネットワークに使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ  ＣＤＭＡ（ＷＣＤＭＡ）（登録商標）、時分割同期ＣＤＭＡ（ＴＤ−ＳＣＤＭＡ）およびＣＤＭＡの他の変形態を含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装することができる。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＦＤＤとＴＤＤの両方における３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレス・ネットワークおよび無線技術、ならびに他のワイヤレス・ネットワークおよび無線技術に使用できる。明快のために、本技法のいくつかの態様について以下ではＬＴＥに関して説明し、以下の説明の大部分でＬＴＥ用語を使用する。
【００１２】
図１は、ＷＡＮ１００を示しており、これはＬＴＥネットワークまたは何らかの他のＷＡＮとすることができる。ＷＡＮ１００は、いくつかの進化型ノードＢ（ｅＮＢ）および他のネットワーク・エンティティを含むことができる。簡単のために、図１には、３つのｅＮＢ１１０ａ、１１０ｂおよび１１０ｃならびに１つのネットワーク・コントローラ１３０のみを示す。ｅＮＢは、ＵＥと通信するエンティティとすることができ、基地局、ノードＢ、アクセスポイントなどと呼ばれることもある。各ｅＮＢは、特定の地理的エリアに通信カバレージを提供することができ、カバレージエリア内に位置するＵＥの通信をサポートすることができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。３ＧＰＰ２では、「セクタ」または「セルセクタ」という用語は、基地局のカバレージエリアおよび／またはこのカバレージエリアにサービスする基地局サブシステムのカバレージエリアを指すことができる。明快のために、本明細書の説明では「セル」の３ＧＰＰ概念を使用する。
【００１３】
ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、家庭）をカバーし、フェムトセルとの関連を有するＵＥ（たとえば、限定加入者グループ（ＣＳＧ）中のＵＥ）による限定アクセスを可能にする。図１に示す例では、ＷＡＮ１００はマクロセルのためのマクロｅＮＢ１１０ａと、１１０ｂと、１１０ｃとを含む。ＷＡＮ１００は、ピコセルのためのピコｅＮＢおよび／またはフェムトセルのためのホームｅＮＢ（ＨｅＮＢ）（図１には示されていない）を含むこともできる。
【００１４】
ＷＡＮ１００はまた、リレーを含み得る。リレーは、上流エンティティ（たとえば、ｅＮＢまたはＵＥ）からデータの送信を受信し、そのデータの送信を下流エンティティ（たとえば、ＵＥまたはｅＮＢ）に送るエンティティであり得る。リレーはまた、他のＵＥに対する送信を中継するＵＥとすることができる。
【００１５】
ネットワーク・コントローラ１３０は、ｅＮＢのセットに結合することができ、これらのｅＮＢの調整および制御を行うことができる。ネットワーク・コントローラ１３０はバックホールを介してｅＮＢと通信し得る。ｅＮＢも、バックホールを介して互いに通信することができる。
【００１６】
ＵＥ１２０はＷＡＮ１００全体に分散でき、各ＵＥは固定型または移動型とすることができる。ＵＥは、局、移動局、端末、アクセス端末、加入者ユニットなどと呼ばれることもある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレットなどとすることができる。ＵＥは、ｅＮＢ、リレー、他のＵＥなどと通信することができる。
【００１７】
本明細書の説明では、ＷＡＮ通信は、たとえば別のＵＥなどのリモートエンティティと通話するための、ＵＥとｅＮＢとの間の通信を指す。Ｐ２Ｐ通信は、ｅＮＢを介さない、２つ以上のＵＥ間の直接通信を指す。ＷＡＮ  ＵＥは、ＷＡＮ通信に関心を持っているか、ＷＡＮ通信に関与しているＵＥである。Ｐ２Ｐ  ＵＥは、Ｐ２Ｐ通信に関心を持っているか、Ｐ２Ｐ通信に関与しているＵＥである。
【００１８】
図１に示す例では、ＵＥ１２０ａおよび１２０ｂは、ｅＮＢ１１０ａのカバレージ内にあり、ピアツーピアに通信する。ＵＥ１２０ｃおよび１２０ｄは、ｅＮＢ１１０ｂのカバレージ内にあり、ピアツーピアに通信する。ＵＥ１２０ｅおよび１２０ｆは、異なるｅＮＢ１１０ｂおよび１１０ｃのカバレージ内にあり、ピアツーピアに通信する。ＵＥ１２０ｇ、１２０ｈおよび１２０ｉは、ｅＮＢ１１０ｃのカバレージ内にあり、ピアツーピアに通信する。図１における他のＵＥ１２０は、ＷＡＮ通信に関与している。
【００１９】
２つ以上のＵＥからなる１つのグループは、Ｐ２Ｐ通信に関与することができ、Ｐ２Ｐグループと呼ばれ得る。１つの設計は、協調Ｐ２Ｐ（coordinated P2P）と呼ばれることがあり、この設計では、Ｐ２Ｐグループ内の１つのＵＥをＰ２Ｐグループオーナー（またはＰ２Ｐサーバ）に指定することができ、Ｐ２Ｐグループ内の残りの各ＵＥをＰ２Ｐクライアントに指定することができる。Ｐ２Ｐサーバは、ＷＡＮとシグナリングを交換する、Ｐ２Ｐサーバと（１つまたは複数の）Ｐ２Ｐクライアントとの間のデータ送信を調整するなどの一定の管理機能を実行することができる。別の設計は、アドホックＰ２Ｐと呼ばれることがあり、この設計では、Ｐ２Ｐグループ内のすべてのＵＥが、Ｐ２Ｐ通信のためにデータを送受信する目的で同様の機能を実行することができる。この設計では、Ｐ２Ｐ内のいかなるＵＥも、Ｐ２Ｐグループのための管理機能を課せられない。本明細書で説明する技法は、Ｐ２Ｐグループオーナーの有無にかかわりなく、協調Ｐ２ＰとアドホックＰ２Ｐの両方に使用できる。明快のために、以下の説明の大部分は、Ｐ２ＰグループオーナーがＰ２Ｐクライアントとピアツーピアに通信するケースについてのものである。
【００２０】
一般に通信は、ダウンリンクおよびアップリンク上での送信を通じて促進され得る。ＷＡＮ通信の場合、ダウンリンク（または順方向リンク）はｅＮＢからＵＥへの通信リンクを指し、アップリンク（または逆方向リンク）はＵＥからｅＮＢへの通信リンクを指す。ＷＡＮ通信の場合のダウンリンクはＷＡＮダウンリンクと呼ばれることもあり、ＷＡＮ通信の場合のアップリンクはＷＡＮアップリンクと呼ばれることもある。協調Ｐ２Ｐ通信の場合、Ｐ２ＰダウンリンクはＰ２ＰグループオーナーからＰ２Ｐクライアントへの通信リンクを指し、Ｐ２ＰアップリンクはＰ２ＰクライアントからＰ２Ｐグループオーナーへの通信リンクを指す。アドホックＰ２Ｐ通信の場合、Ｐ２Ｐダウンリンクは１つの特定のＵＥから（１つまたは複数の）ピアＵＥへの通信リンクを指すことがあり、Ｐ２Ｐアップリンクは（１つまたは複数の）ピアＵＥからこの特定のＵＥへの通信リンクを指すことがある。したがって、アドホックＰ２Ｐ通信の場合のＰ２ＰダウンリンクとＰ２Ｐアップリンクとは、対称的であることがあり、方向のみが異なり得る。
【００２１】
ＷＡＮ１００はＦＤＤまたはＴＤＤを利用し得る。ＦＤＤの場合、ダウンリンクおよびアップリンクには、２つの別個の周波数チャネルを割り振ることができ、これらはダウンリンク・スペクトルおよびアップリンク・スペクトルと呼ばれることがある。送信はダウンリンク・スペクトルおよびアップリンク・スペクトルで同時に送られ得る。ＴＤＤの場合、ダウンリンクとアップリンクとは同じ周波数チャネルまたはスペクトルを共有することができる。送信は、異なる時間間隔において同じスペクトルでダウンリンクおよびアップリンク上で送られ得る。一般に、「スペクトル」という用語は、周波数レンジを総称的に指すことができ、これは周波数チャネル、サブバンドなどに対応し得る。
【００２２】
図２に、ＬＴＥにおけるＦＤＤのために使用されるフレーム構造２００を示す。ダウンリンクおよびアップリンクの各々の送信タイムラインは無線フレームの単位に区分され得る。各無線フレームは、所定の持続時間（たとえば、１０ミリ秒（ｍｓ））を有することができ、０〜９のインデックスをもつ１０個のサブフレームに区分できる。各サブフレームは２個のスロットを含むことができる。したがって、各無線フレームは、０〜１９のインデックスをもつ２０個のスロットを含むことができる。各スロットは、Ｌ個のシンボル期間、たとえば、（図２に示すように）通常の巡回プレフィックスの場合は７つのシンボル期間、または拡張された巡回プレフィックスの場合は６つのシンボル期間を含み得る。各サブフレーム中の２Ｌ個のシンボル期間には０〜２Ｌ−１のインデックスが割り当てられ得る。ＦＤＤの場合、ダウンリンク・スペクトル向けの各サブフレームは、ダウンリンク・サブフレームと呼ばれることがある。アップリンク・スペクトル向けの各サブフレームは、アップリンク・サブフレームと呼ばれることがある。
【００２３】
図３に、ＬＴＥにおけるＴＤＤのために使用されるフレーム構造３００を示す。送信タイムラインは無線フレームの単位に区分でき、各無線フレームは、０〜９のインデックスをもつ１０個のサブフレームに区分できる。ＬＴＥは、ＴＤＤのためのいくつかのダウンリンクアップリンク構成をサポートする。すべてのダウンリンクアップリンク構成について、サブフレーム０および５はダウンリンク（ＤＬ）のために使用され、サブフレーム２はアップリンク（ＵＬ）のために使用される。サブフレーム３、４、７、８および９は、それぞれダウンリンクアップリンク構成に応じてダウンリンクまたはアップリンクのために使用できる。サブフレーム１は、ダウンリンク制御チャネルならびにデータ送信のために使用されるダウンリンク・パイロット・タイムスロット（ＤｗＰＴＳ）と、無送信のガード期間（ＧＰ）と、ランダム・アクセス・チャネル（ＲＡＣＨ）またはサウンディング基準信号（ＳＲＳ）のいずれかに使用されるアップリンクパイロットタイムスロット（ＵｐＰＴＳ）とから構成される３つの特殊フィールドを含む。サブフレーム６は、ダウンリンクアップリンク構成に応じて、ＤｗＰＴＳのみ、または３つすべての特殊フィールド、またはダウンリンク・サブフレームを含むことができる。ＤｗＰＴＳ、ＧＰおよびＵｐＰＴＳは、様々なサブフレーム構成について様々な持続時間を有することができる。ＴＤＤの場合、ダウンリンクに使用される各サブフレームは、ダウンリンク・サブフレームと呼ばれることがある。アップリンクに使用される各サブフレームは、アップリンク・サブフレームと呼ばれることがある。
【００２４】
ＬＴＥはＦＤＤとＴＤＤの両方の場合に、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、周波数レンジを、一般にトーン、ビンなどとも呼ばれる複数（ＮFFT個）の直交サブキャリアに区分する。各サブキャリアはデータにより変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（ＮFFT）はシステム帯域幅に依存し得る。たとえば、サブキャリア間隔は１５キロヘルツ（ＫＨｚ）であり得、ＮFFTは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅をサブバンドに区分することもできる。各サブバンドは、たとえば１．０８ＭＨｚの周波数レンジをカバーすることができる。
【００２５】
ＦＤＤとＴＤＤの両方の場合に、ＯＦＤＭシンボルがダウンリンク・サブフレームの各シンボル期間中で送信され得る。ＳＣ−ＦＤＭＡシンボルがアップリンク・サブフレームの各シンボル期間中で送信され得る。
【００２６】
ＷＡＮ１００は、信頼性を高めるためにハイブリッド自動再送信（ＨＡＲＱ）によるデータ送信をサポートすることができる。ＨＡＲＱの場合、送信機は、データのパケットの最初の送信を送ることができ、必要に応じて、パケットが受信機によって正しく復号されるか、または、パケットに関して最大回数の送信が送られるか、または、何らかの他の終了条件に遭遇するまで、パケットの１回または複数回の追加の送信を送ることができる。
【００２７】
図４Ａに、ＨＡＲＱを用いたダウンリンク上でのデータ送信の例を示す。ＵＥは、ｅＮＢのためにダウンリンクのチャネル品質を推定し得、ｅＮＢに対し、ダウンリンク・チャネル品質を示すチャネル品質インジケータ（ＣＱＩ）を送り得る。ｅＮＢは、ダウンリンク上でのデータ送信用にＵＥをスケジュールすることができ、ＣＱＩに基づいて変調および符号化方式（ＭＣＳ）を選択することができる。ｅＮＢは、ＵＥに対しダウンリンク許可とパケットの送信とを送ることができる。ダウンリンク許可は、選択されたＭＣＳ、割り当てられたリソースなどを含むことができる。ＵＥは、ｅＮＢからのデータ送信を処理し、パケットが正しく復号された場合に肯定応答（ＡＣＫ）を送り、パケットが誤って復号された場合に否定応答（ＮＡＣＫ）を送ることができる。ｅＮＢは、ＮＡＣＫを受信した場合はパケットの別の送信を送ることができ、ＡＣＫを受信した場合はパケットの送信を終了させることができる。ダウンリンク上でのデータ送信およびアップリンク上でのＡＣＫ／ＮＡＣＫフィードバックは、同様の方法で継続し得る。
【００２８】
図４Ｂに、ＨＡＲＱを用いたアップリンク上でのデータ送信の例を示す。ＵＥは、送信すべきデータを有し得、スケジューリング要求をｅＮＢに送り得る。ｅＮＢは、アップリンク上でのデータ送信用にＵＥをスケジュールすることができ、アップリンク許可をＵＥに送ることができる。アップリンク許可は、選択されたＭＣＳ、割り当てられたリソースなどを含むことができる。ＵＥはアップリンク許可に従ってパケットの送信を送ることができる。ｅＮＢは、ＵＥからのデータ送信を処理し、復号結果に応じてＡＣＫまたはＮＡＣＫを送ることができる。ＵＥは、ＮＡＣＫを受信した場合はパケットの別の送信を送ることができ、ＡＣＫを受信した場合はパケットの送信を終了させることができる。アップリンク上でのデータ送信およびダウンリンク上でのＡＣＫ／ＮＡＣＫフィードバックは、同様の方法で継続し得る。
【００２９】
図５に、ダウンリンクおよびアップリンクの各々のために使用できる例示的なインターレース送信構造５００を示す。０〜Ｍ−１のインデックスをもつＭ個のインターレースを定義することができ、ここで、Ｍは、４、６、８、またはある他の値に等しくなり得る。各インターレースは、Ｍ個のサブフレームだけ離間したサブフレームを含むことができる。たとえば、インターレースｍは、ｍ、ｍ＋Ｍ、ｍ＋２Ｍなどを含むことができる。Ｍ個のインターレースは、ＨＡＲＱに使用可能であり、ＨＡＲＱインターレース、ＨＡＲＱプロセスなどと呼ばれることがある。ＨＡＲＱの場合、送信機は、同じインターレースの異なるサブフレームにおいてパケットの送信すべてを送ることができる。送信機は、異なるインターレースにおいて異なるパケットの送信を送ることができる。
【００３０】
図４Ａおよび図４Ｂに示すように、ダウンリンクおよび／またはアップリンク上でのデータ送信は、各リンクに１つのインターレースでサポートされ得る。ダウンリンク上でのデータ送信の場合、ダウンリンク向けのインターレースのサブフレームにおいてデータを送ることができ、アップリンク向けのインターレースのサブフレームにおいてＡＣＫ／ＮＡＣＫフィードバックを送ることができる。アップリンク上でのデータ送信の場合、アップリンク向けのインターレースのサブフレームにおいてデータを送ることができ、ダウンリンク向けのインターレースのサブフレームにおいてＡＣＫ／ＮＡＣＫフィードバックを送ることができる。より多くのインターレースを各リンクに使用することで、容量を拡大し、遅延を減らし、かつ／または他の利益を得ることができる。
【００３１】
Ｐ２Ｐ通信は、とりわけＵＥが互いに接近して位置する場合に、ＷＡＮ通信と比較していくつかの利点を提供することができる。特に、２つのＵＥ間の経路損失が、いずれかのＵＥとそのサービングｅＮＢとの間の経路損失よりも大幅に小さくなり得るので、効率性が高まり得る。さらに２つのＵＥは、ＷＡＮ通信向けの２つの送信「ホップ」（すなわち、１つのＵＥからサービングｅＮＢへのアップリンク向けのホップ、および同じまたは異なるｅＮＢから他のＵＥへのダウンリンク向けの別のホップ）を経由する代わりに、Ｐ２Ｐ通信向けの単一の送信ホップを経由して直接通信することができる。Ｐ２Ｐ通信をこのようにして利用してＵＥの能力を高めるとともに、Ｐ２Ｐ通信に負荷を移すことによってネットワーク容量を拡大することもできる。
【００３２】
一般にＰ２Ｐ通信は、同一チャネルＰ２Ｐ展開においてＷＡＮ１００によって使用される同じスペクトルで、またはＷＡＮ１００によって使用されない異なるスペクトルでサポートされ得る。同一チャネルＰ２Ｐ展開は、たとえば、Ｐ２Ｐ通信をサポートするために別個のスペクトルを利用することが不可能なときに利用され得る。以下の説明の大部分は、同一チャネルＰ２Ｐ展開を想定している。しかしながら、本明細書で説明する技法は、専用スペクトルによるＰ２Ｐ展開にも適用できる。
【００３３】
一態様では、Ｐ２Ｐ通信は、ＦＤＤ展開においてＷＡＮによって使用されるアップリンク・スペクトルでサポートされ得る。規制上の制約から、ＦＤＤにおいてＷＡＮによって使用されるダウンリンク・スペクトルとアップリンク・スペクトルの両方でＰ２Ｐ通信をサポートするのは難しい場合や、不可能な場合がある。したがって、アップリンク・スペクトルで利用可能な時間周波数リソースの一部をＰ２Ｐ通信に割り振ることによって、Ｐ２Ｐ通信はアップリンク・スペクトルでサポートされ得る。
【００３４】
別の態様では、ＷＡＮ通信とＰ２Ｐ通信との間におけるＴＤＭ区分によりフレーム構造を定義し、それにより両方がＵＥによって同時にサポートされ得る。これは、一部のサブフレームをＰ２Ｐ通信に割り振り、残りのサブフレームをＷＡＮ通信に使用することによって達成できる。さらに別の態様では、ＴＤＭ区分はＰ２ＰダウンリンクとＰ２Ｐアップリンクの両方に利用可能で、これによりＵＥは、Ｐ２ＰダウンリンクとＰ２Ｐアップリンクの両方の場合に同じスペクトルで動作することができる。これは、Ｐ２Ｐ通信に割り振られた一部のサブフレームをＰ２Ｐダウンリンクに使用し、割り振られた残りのサブフレームをＰ２Ｐアップリンクに使用することによって達成できる。
【００３５】
図６Ａに、周波数分割多重（ＦＤＭ）によりアップリンク・スペクトルでＰ２Ｐ通信をサポートする設計を示す。この設計では、アップリンク・スペクトルの一部分が、Ｐ２Ｐ通信の持続時間全体にわたりＵＥグループに割り当てられ得る。異なるＵＥグループは、アップリンク・スペクトルの重複しない異なる部分を割り当てられ得る。たとえば、第１のＵＥグループに第１の部分６１２を割り当て、第２のＵＥグループにアップリンク・スペクトルの第２の部分６１４を割り当てることができる。アップリンク・スペクトルの残りの部分は、ＷＡＮ通信に使用できる。
【００３６】
図６Ｂに、時分割多重（ＴＤＭ）によりアップリンク・スペクトルでＰ２Ｐ通信をサポートする設計を示す。この設計では、アップリンク・スペクトル向けのいくつかのサブフレームが、Ｐ２Ｐ通信のためにＵＥに割り当てられ得る。異なるＵＥグループは異なるサブフレーム、または場合によっては互いに過剰な干渉を引き起こさなければ同じサブフレームを割り当てられ得る。アップリンク・スペクトル向けの残りのサブフレームは、ＷＡＮ通信に使用できる。
【００３７】
図６Ｃに、ＦＤＭとＴＤＭの両方によりアップリンク・スペクトルでＰ２Ｐ通信をサポートする設計を示す。この設計では、いくつかのサブフレームにおけるアップリンク・スペクトルの一部分が、Ｐ２Ｐ通信のためにＵＥグループに割り当てられ得る。異なるＵＥグループは、アップリンク・スペクトルの、かつ／または様々なサブフレームにおいて、重複しない異なる部分を割り当てられ得る。たとえば、第１のＵＥグループ（Ｇ１）は、サブフレーム０および２においてアップリックスペクトルの第１の部分を割り当てられ得る。第２のＵＥグループ（Ｇ２）は、サブフレーム０、１および５においてアップリックスペクトルの第２の部分を割り当てられ得る。アップリンク・スペクトルでの残りの時間周波数リソースは、ＷＡＮ通信に使用できる。
【００３８】
図６Ａに示すＦＤＭ設計の場合、ＴＤＤフレーム構造はＰ２ＰダウンリンクおよびＰ２Ｐアップリンクに使用できる。Ｐ２Ｐグループごとに、いくつかのサブフレームをＰ２Ｐダウンリンクに割り振ることができ、残りのサブフレームをＰ２Ｐアップリンクに割り振ることができる。各Ｐ２Ｐ  ＵＥは、いくつかのサブフレームにおいてアップリンク・スペクトルの割り当てられた部分でデータを送信することができ、他のサブフレームにおいてアップリンク・スペクトルの割り当てられた部分でデータを受信することができる。一方で、Ｐ２Ｐ  ＵＥは（ｉ）Ｐ２Ｐ通信のために別のＵＥからアップリンク・スペクトルでデータを受信することと、（ｉｉ）同じサブフレームにおいてＷＡＮ通信のためにｅＮＢにアップリンク・スペクトルでデータを送信することとを求められることがあるので、Ｐ２Ｐ  ＵＥがＰ２Ｐ通信とＷＡＮ通信とを同時にサポートするのは難しいことがある。Ｐ２Ｐ  ＵＥは、ＵＥ内での送信機から受信機への信号漏洩のせいで、同じスペクトルで同時に送信および受信することが不可能なことがある。
【００３９】
図６Ｂに示すＴＤＭ設計および図６Ｃに示すＦＤＭ−ＴＤＭ設計の場合も、ＴＤＤフレーム構造はＰ２ＰダウンリンクおよびＰ２Ｐアップリンクに使用できる。この場合、各Ｐ２Ｐ  ＵＥは、いくつかのサブフレームにおいてアップリンク・スペクトルの全部または一部分でデータを送信することができ、他のサブフレームにおいてアップリンク・スペクトルの全部または一部分でデータを受信することができる。図６Ｂおよび図６Ｃに示すように、Ｐ２Ｐ通信およびＷＡＮ通信は時分割多重化され、異なるサブフレームにおいて生じるので、Ｐ２Ｐ  ＵＥはＰ２Ｐ通信とＷＡＮ通信とを同時にサポートすることもできる。
【００４０】
図６Ａ〜図６Ｃに示す設計はＦＤＤ展開に使用でき、前述のように、Ｐ２Ｐ通信はアップリンク・スペクトルでサポートされ得る。図６Ａ〜図６Ｃに示す設計はＴＤＤ展開にも使用でき、Ｐ２Ｐ通信は同様に、アップリンク・サブフレーム（またはいくつかのダウンリンクおよびアップリンク・サブフレーム）においてサポートされ得る。
【００４１】
明快のために、以下の説明の大部分は、Ｐ２Ｐ通信が（ｉ）ＦＤＤ展開においてアップリンク・スペクトルで、または（ｉｉ）ＴＤＤ展開においてアップリンク・サブフレームのみ、もしくはダウンリンク・サブフレームとアップリンク・サブフレームの両方においてサポートされることを想定している。以下の説明の大部分は、図６Ｃに示すＦＤＭ−ＴＤＭ設計およびＰ２Ｐ通信のためのＴＤＤフレーム構造の使用も想定している。
【００４２】
ＦＤＤ展開では、たとえば図５示すように、ダウンリンクおよびアップリンクの各々についてＭ個のインターレースを定めることができる。アップリンク向けの１つのインターレースが、Ｐ２Ｐ通信に割り振られ得る。このインターレースにおけるサブフレームの半分は、Ｐ２Ｐダウンリンクに使用でき、このインターレースにおけるサブフレームの他方の半分は、Ｐ２Ｐアップリンクに使用できる。この場合、データの送信をサブフレームｔにおいて送ることができ、ＡＣＫ／ＮＡＣＫフィードバックをサブフレームｔ＋Ｍにおいて送ることができ、データの別の送信をサブフレームｔ＋２Ｍにおいて送ることができる、といった具合である。データ送信の後、Ｍ個のサブフレームにおいてＡＣＫ／ＮＡＣＫフィードバックを送ることは、遅延に敏感なサービス（たとえば、ボイス）にふさわしくないことがある。したがって、遅延を減らすためにＰ２Ｐ通信に複数のインターレースが割り振られ得る。
【００４３】
図７に、Ｐ２Ｐ通信に対するＦＤＤ展開におけるアップリンク・スペクトル向けのサブフレームの例示的な割振りを示す。図７に示す例では、８つのインターレース０〜７がアップリンクのために利用可能であり、２つのインターレース３および７がＰ２Ｐ通信に割り振られ、残りの６つのインターレースがＷＡＮ通信に使用される。インターレース０〜２および４〜６におけるサブフレームはＷＡＮアップリンクに使用され得る。インターレース３におけるサブフレームはＰ２Ｐダウンリンクに使用され得る。インターレース７におけるサブフレームはＰ２Ｐアップリンクに使用され得る。
【００４４】
図７に示すように、２つの均等に離間したインターレース（たとえば、インターレース３および７）がＰ２Ｐ通信に割り振られ得る。さらに、２つの割り振られたインターレースにおけるサブフレームは、Ｐ２ＰダウンリンクおよびＰ２Ｐアップリンクに均等に割り振られ得る。この場合、８ｍｓのＨＡＲＱ送信タイムラインがＰ２Ｐ通信向けにサポートされ得る。
【００４５】
Ｐ２ＰグループオーナーおよびＰ２Ｐクライアントは、Ｐ２ＰダウンリンクおよびＰ２Ｐアップリンクに割り振られたサブフレームにおいて通信することができる。ｅＮＢは、同じインターレースまたは異なるインターレースのいずれかのサブフレームにおいて、これらのサブフレームがＰ２ＰダウンリンクおよびＰ２Ｐアップリンク向けのサブフレームと異なる限り、Ｐ２ＰグループオーナーおよびＰ２Ｐクライアントに送信することができる。
【００４６】
図８Ａに、図７に示すサブフレーム割振りの場合における同時のＰ２Ｐ通信およびＷＡＮ通信の１つの設計を示す。図８Ａに示す設計では、ｅＮＢはサブフレーム０においてＰ２Ｐグループオーナーにデータ送信を送り、サブフレーム４におけるＰ２ＰグループオーナーからのＡＣＫ／ＮＡＣＫフィードバックを受信し、サブフレーム８においてＰ２Ｐグループオーナーに別のデータ送信を送ることができる。同様に、ｅＮＢはサブフレーム０においてＰ２Ｐクライアントにデータ送信を送り、サブフレーム４におけるＰ２ＰクライアントからのＡＣＫ／ＮＡＣＫフィードバックを受信し、サブフレーム８においてＰ２Ｐクライアントに別のデータ送信を送ることができる。したがってｅＮＢは、図８Ａで同じインターレースにおいてＰ２ＰグループオーナーおよびＰ２Ｐクライアントにデータを送信することができる。
【００４７】
図８Ｂに、図７に示すサブフレーム割振りの場合における同時のＰ２Ｐ通信およびＷＡＮ通信の別の設計を示す。図８Ｂに示す設計では、ｅＮＢはサブフレーム１においてＰ２Ｐグループオーナーにデータ送信を送り、サブフレーム５におけるＰ２ＰグループオーナーからのＡＣＫ／ＮＡＣＫフィードバックを受信し、サブフレーム９においてＰ２Ｐグループオーナーに別のデータ送信を送ることができる。ｅＮＢはサブフレーム０においてＰ２Ｐクライアントにデータ送信を送り、サブフレーム４におけるＰ２ＰクライアントからのＡＣＫ／ＮＡＣＫフィードバックを受信し、サブフレーム８においてＰ２Ｐクライアントに別のデータ送信を送ることができる。したがってｅＮＢは、図８Ｂで異なるインターレースにおいてＰ２ＰグループオーナーおよびＰ２Ｐクライアントにデータを送信することができる。
【００４８】
図８Ａと図８Ｂの両方の場合に、Ｐ２Ｐグループオーナーはサブフレーム３においてＰ２Ｐクライアントにデータ送信を送り、サブフレーム７におけるＡＣＫ／ＮＡＣＫフィードバックを受信し、次の無線フレームのサブフレーム１において別のデータ送信を送ることができる。同様に、Ｐ２Ｐクライアントはサブフレーム７においてＰ２Ｐグループオーナーにデータ送信を送り、次の無線フレームのサブフレーム１におけるＡＣＫ／ＮＡＣＫフィードバックを受信し、次の無線フレームのサブフレーム５において別のデータ送信を送ることができる。
【００４９】
図９Ａに、ＴＤＤ展開におけるダウンリンクおよびアップリンクに対するサブフレームの例示的な割振りを示す。図９Ａに示す例では、ダウンリンクアップリンク構成１が使用のために選択され、各無線フレームのサブフレーム０、４、５および９はダウンリンクに割り振られ、図９Ａではラベル「Ｄ」で示されている。各無線フレームのサブフレーム２、３、７および８はアップリンクに割り振られ、ラベル「Ｕ」で示されている。サブフレーム１および６は特殊サブフレームであり、ラベル「Ｓ」で示されている。
【００５０】
図９Ｂに、Ｐ２Ｐ通信に対しＴＤＤ展開においてダウンリンク・サブフレームとアップリンク・サブフレームの両方を割り振る設計を示す。図９Ｂは、図９Ａに示すダウンリンクアップリンク構成１が使用のために選択されると想定している。図９Ｂに示す例では、各無線フレームのアップリンク・サブフレーム３およびダウンリンク・サブフレーム９がＰ２Ｐ通信に割り振られ、サブフレーム３はＰ２Ｐダウンリンクに使用され、サブフレーム９はＰ２Ｐアップリンクに使用され得る。この設計は、Ｐ２Ｐ通信のためのＨＡＲＱ送信タイムラインに対する影響を軽減することができる。ただし、ダウンリンク・サブフレーム上でのＰ２Ｐ  ＵＥからの送信が、ＷＡＮ  ＵＥに対する過剰な干渉を引き起こさないよう、注意が必要である。
【００５１】
図９Ｃに、Ｐ２Ｐ通信に対しＴＤＤ展開においてアップリンク・サブフレームのみを割り振る設計を示す。図９Ｃは、図９Ａに示すダウンリンクアップリンク構成１が使用のために選択されると想定している。図９Ｃに示す例では、各無線フレームのアップリンク・サブフレーム２および７がＰ２Ｐ通信に割り振られ、サブフレーム２はＰ２Ｐダウンリンクに使用され、サブフレーム７はＰ２Ｐアップリンクに使用され得る。この設計は、ダウンリンク上でのＰ２Ｐ  ＵＥからＷＡＮ  ＵＥへの干渉を回避することができる。しかしながら、いくつかのダウンリンクアップリンク構成では、アップリンク・サブフレームは無線フレーム全体に分散されないことがあり、Ｐ２Ｐ通信に割り振られたサブフレームが無線フレーム全体に分散されないこともある。この場合、Ｐ２Ｐ通信のためのＨＡＲＱ送信タイムラインは、Ｐ２Ｐ通信に割り振られたサブフレームに基づき必要に応じて修正できる。
【００５２】
図１０Ａに、図９Ｂに示すサブフレーム割振りの場合における同時のＰ２Ｐ通信およびＷＡＮ通信の１つの設計を示す。ｅＮＢは、サブフレーム４においてＰ２ＰグループオーナーおよびＰ２Ｐクライアントにデータ送信を送り、サブフレーム８におけるＡＣＫ／ＮＡＣＫフィードバックを受信し、次の無線フレームのサブフレーム４においてＰ２ＰグループオーナーおよびＰ２Ｐクライアントに追加のデータ送信を送ることができる。したがってｅＮＢは、図１０Ａで同じサブフレームにおいてＰ２ＰグループオーナーおよびＰ２Ｐクライアントにデータを送信することができる。
【００５３】
図１０Ｂに、図９Ｂに示すサブフレーム割振りの場合における同時のＰ２Ｐ通信およびＷＡＮ通信の別の設計を示す。ｅＮＢはサブフレーム０においてＰ２Ｐグループオーナーにデータ送信を送り、サブフレーム７におけるＰ２ＰグループオーナーからのＡＣＫ／ＮＡＣＫフィードバックを受信し、次の無線フレームのサブフレーム０においてＰ２Ｐグループオーナーに別のデータ送信を送ることができる。ｅＮＢはサブフレーム４においてＰ２Ｐクライアントにデータ送信を送り、サブフレーム８におけるＰ２ＰクライアントからのＡＣＫ／ＮＡＣＫフィードバックを受信し、次の無線フレームのサブフレーム４においてＰ２Ｐクライアントに別のデータ送信を送ることができる。したがってｅＮＢは、図１０Ｂで異なるサブフレームにおいてＰ２ＰグループオーナーおよびＰ２Ｐクライアントにデータを送信することができる。
【００５４】
図１０Ａと図１０Ｂの両方の場合に、Ｐ２Ｐグループオーナーはサブフレーム３においてＰ２Ｐクライアントにデータ送信を送り、サブフレーム９におけるＡＣＫ／ＮＡＣＫフィードバックを受信し、次の無線フレームのサブフレーム３において別のデータ送信を送ることができる。同様に、Ｐ２Ｐクライアントはサブフレーム９においてＰ２Ｐグループオーナーにデータ送信を送り、次の無線フレームのサブフレーム３におけるＡＣＫ／ＮＡＣＫフィードバックを受信し、次の無線フレームのサブフレーム９において別のデータ送信を送ることができる。
【００５５】
図１０Ｃに、図９Ｃに示すサブフレーム割振りの場合における同時のＰ２Ｐ通信およびＷＡＮ通信の１つの設計を示す。ｅＮＢは、サブフレーム４においてＰ２ＰグループオーナーおよびＰ２Ｐクライアントにデータ送信を送り、サブフレーム８におけるＡＣＫ／ＮＡＣＫフィードバックを受信し、次の無線フレームのサブフレーム４においてＰ２ＰグループオーナーおよびＰ２Ｐクライアントに追加のデータ送信を送ることができる。したがってｅＮＢは、図１０Ｃで同じサブフレームにおいてＰ２ＰグループオーナーおよびＰ２Ｐクライアントにデータを送信することができる。
【００５６】
図１０Ｄに、図９Ｃに示すサブフレーム割振りの場合における同時のＰ２Ｐ通信およびＷＡＮ通信の別の設計を示す。ｅＮＢはサブフレーム０においてＰ２Ｐグループオーナーにデータ送信を送り、サブフレーム７におけるＰ２ＰグループオーナーからのＡＣＫ／ＮＡＣＫフィードバックを受信し、次の無線フレームのサブフレーム０においてＰ２Ｐグループオーナーに別のデータ送信を送ることができる。ｅＮＢはサブフレーム４においてＰ２Ｐクライアントにデータ送信を送り、サブフレーム８におけるＰ２ＰクライアントからのＡＣＫ／ＮＡＣＫフィードバックを受信し、次の無線フレームのサブフレーム４においてＰ２Ｐクライアントに別のデータ送信を送ることができる。したがってｅＮＢは、図１０Ｄで異なるサブフレームにおいてＰ２ＰグループオーナーおよびＰ２Ｐクライアントにデータを送信することができる。
【００５７】
図１０Ｃと図１０Ｄの両方の場合に、Ｐ２Ｐグループオーナーはアップリンク・サブフレーム２においてＰ２Ｐクライアントにデータ送信を送り、アップリンク・サブフレーム７におけるＡＣＫ／ＮＡＣＫフィードバックを受信し、次の無線フレームのアップリンク・サブフレーム２において別のデータ送信を送ることができる。同様に、Ｐ２Ｐクライアントはアップリンク・サブフレーム７においてＰ２Ｐグループオーナーにデータ送信を送り、次の無線フレームのアップリンク・サブフレーム２におけるＡＣＫ／ＮＡＣＫフィードバックを受信し、次の無線フレームのアップリンク・サブフレーム７において別のデータ送信を送ることができる。
【００５８】
図１０Ｃおよび図１０Ｄにおけるアップリンク・サブフレームのみを使用したＰ２Ｐ通信のためのＨＡＲＱ送信タイミングは、図１０Ａおよび図１０Ｂにおけるダウンリンク・サブフレームとアップリンク・サブフレームの両方を使用したＰ２Ｐ通信のためのＨＡＲＱ送信タイミングとは異なる。Ｐ２ＰグループオーナーおよびＰ２Ｐクライアントは、この相違を認識することができ、適切なサブフレームにおいてデータとＡＣＫ／ＮＡＣＫフィードバックとを送信することができる。
【００５９】
ＦＤＤ展開とＴＤＤ展開の両方の場合に、たとえばＬＴＥ規格において指定されているように、ｅＮＢとＵＥとの間のＷＡＮ通信のためのＨＡＲＱ送信タイムラインを維持することが望まれ得る。これは、ｅＮＢとの通信用にＵＥを適切にスケジュールし、かつ／またはＰ２Ｐ通信にインターレースを適切に割り振ることによって達成できる。さらに、同時のＰ２Ｐ通信およびＷＡＮ通信は、ｅＮＢとＵＥとの間におけるＷＡＮ通信のためのアップリンク向けの少なくとも１つのインターレースを確保することによってサポートされ得る。
【００６０】
図７〜図１０Ｄは、２つのインターレースがＰ２Ｐ通信に割り振られる例を示している。たとえば、Ｐ２Ｐ通信のスループットを高めるために、Ｐ２Ｐ通信に３つ以上のインターレースを割り振ることもできる。Ｐ２Ｐ通信のためのＨＡＲＱ送信タイムラインを、３つ以上のインターレースがＰ２Ｐ通信に割り振られるケースに拡張することができる。たとえば、Ｐ２Ｐ通信のためのＨＡＲＱ送信タイムラインを、３サブフレーム処理時間要件を満たすように定めることができ、これは、ＡＣＫ／ＮＡＣＫフィードバックはデータ送信の少なくとも３サブフレーム後でなければならず、かつ／または別のデータ送信はＡＣＫ／ＮＡＣＫフィードバックの少なくとも３サブフレーム後でなければならないことを意味する。ＡＣＫバンドリングを用いて処理時間要件を満たすことができ、その手段として、（ｉ）異なるインターレースで送られるデータ送信のためにＡＣＫおよび／またはＮＡＣＫをバンドルまたは結合し、（ｉｉ）処理時間要件を満たすサブフレームにおいてバンドルされたＡＣＫ／ＮＡＣＫを送る。
【００６１】
上記のように、干渉のほかＵＥにおける送信機から受信機への漏洩を回避する目的で、ＵＥが同時に同じスペクトルで信号を送信し受信することはできないことがある。これは、ＵＥが同じスペクトルで送信と受信との間（ＴＸ／ＲＸ）または受信と送信との間（ＲＸ／ＴＸ）で切り替わるときはいつでも、送信におけるギャップ（すなわち、送信ギャップ）を有することによって確保され得る。
【００６２】
さらに別の態様では、様々な技法を用いて、同じスペクトルで、各ＴＸ／ＲＸ切替ポイントにおいて、またさらに各ＲＸ／ＴＸ切替ポイントにおいて、送信ギャップを確保することができる。送信ギャップ要件は、ＦＤＤ展開およびＴＤＤ展開において異なることがある。ここで、以下でＦＤＤおよびＴＤＤに関して、送信ギャップを取得するための技法について別個に説明する。
【００６３】
明快のために、以下の説明の大部分は、Ｐ２Ｐ通信とＷＡＮ通信とを同時に行う特定のＵＥを対象としている。以下の説明では次の用語が使用される。
【００６４】
・ＷＡＮ  ＴＸ−ＵＥはＷＡＮ通信のためにｅＮＢにデータを送信する。
【００６５】
・ＷＡＮ  ＲＸ−ＵＥはＷＡＮ通信のためにｅＮＢからデータを受信する。
【００６６】
・Ｐ２Ｐ  ＴＸ−ＵＥはＰ２Ｐ通信のためにピアＵＥにデータを送信する。
【００６７】
・Ｐ２Ｐ  ＲＸ−ＵＥはＰ２Ｐ通信のためにピアＵＥからデータを受信する。
【００６８】
・ＷＡＮ  ＴＸタイミング−ＷＡＮ通信向けのＵＥの送信タイミング
・ＷＡＮ  ＲＸタイミング−ＷＡＮ通信向けのＵＥの受信タイミング
・Ｐ２Ｐタイミング−Ｐ２Ｐ通信向けのＵＥの送受信タイミング
ＷＡＮ  ＴＸ、ＷＡＮ  ＲＸ、Ｐ２Ｐ  ＴＸおよびＰ２Ｐ  ＲＸは、ＵＥの観点からのものである。ＷＡＮ  ＴＸタイミング、ＷＡＮ  ＲＸタイミングおよびＰ２Ｐタイミングは、ＵＥ向けに与えられる。
【００６９】
ＴＤＤの場合、ＷＡＮ通信とＰ２Ｐ通信の両方に同じスペクトルが使用される。さらに、ＷＡＮダウンリンク、ＷＡＮアップリンク、Ｐ２ＰダウンリンクおよびＰ２Ｐアップリンクに同じスペクトルが使用される。したがって、ＷＡＮ通信はＰ２Ｐ通信に干渉する可能性があり、その逆も起こり得る。表１は、１つの設計による、ＴＤＤにおける異なるＴＸ／ＲＸおよびＲＸ／ＴＸ切替ポイントについて送信ギャップを確保する様々な方法を記載したものである。
【表１】
2014212541.tif 000003
【００７０】
図１１に、ＴＤＤにおける異なるＴＸ／ＲＸおよびＲＸ／ＴＸ切替ポイントについて送信ギャップを確保するいくつかの設計を示す。図１１は、ダウンリンクアップリンク構成１が使用のために選択され、各無線フレームのサブフレーム０、４、５および９がダウンリンクに割り振られ、各無線フレームのサブフレーム２、３、７および８がアップリンクに割り振られ、サブフレーム１および６が特殊サブフレームであると想定している。各特殊サブフレームはダウンリンク部分を含み、その後にＴギャップのギャップがあり、その後にアップリンク部分があり、この場合、Ｔギャップは構成可能とすることができ、ＴＤＤにおいて使用するために選択されるサブフレーム構成に依存し得る。図１１は、いくつかのアップリンク・サブフレームがＰ２Ｐ通信に割り振られることを想定している。図１１は、簡単のためにゼロの往復遅延（ＲＴＤ）も想定している。
【００７１】
ＷＡＮ  ＲＸタイムライン１１１２は、ＵＥが各無線フレームのダウンリンク・サブフレーム０、４、５および９において、またさらに特殊サブフレーム１および６のダウンリンク部分において、ｅＮＢからデータを受信する可能性があることを示している。ＷＡＮ
ＴＸタイムライン１１１４は、ＵＥが各無線フレームのアップリンク・サブフレーム２、３、７および８において、またさらに特殊サブフレーム１および６のアップリンク部分において、ｅＮＢにデータを送信する可能性があることを示している。ＵＥがＷＡＮ通信のみに関与している（かつ、Ｐ２Ｐ通信に関与していない）ときに、ＷＡＮ  ＴＸタイムライン１１１４は適用可能である。
【００７２】
１つの設計では、図１１のタイムライン１１１４が示すように、ＵＥのＷＡＮ  ＴＸタイミングは、ＵＥのＷＡＮ  ＲＸタイミングに対してデルタ１ｍｓだけ先行し得る。つまり、ＵＥのアップリンク／送信サブフレームは、ＵＥのダウンリンク／受信サブフレームに対してデルタ１だけ先行し得る。その場合、デルタ１の送信ギャップはＷＡＮ  ＴＸとＷＡＮ  ＲＸとの間、たとえばアップリンク・サブフレーム８とダウンリンク・サブフレーム９との間で取得できる。デルタ２の送信ギャップはＷＡＮ  ＲＸとＷＡＮ  ＴＸとの間、たとえば特殊サブフレーム６において取得でき、この場合、デルタ２は（Ｔギャップ−デルタ１）に等しくなり得る。デルタ１はデルタ２に等しいことも、等しくないこともある。
【００７３】
タイムライン１１１６は、Ｐ２Ｐ  ＴＸサブフレームと、Ｐ２Ｐ  ＲＸサブフレームと、ＷＡＮ  ＴＸサブフレームとをバンドルすることによって送信ギャップを取得する設計を示している。タイムライン１１１６に示す設計の場合、ＵＥのＰ２ＰタイミングはＷＡＮ  ＴＸタイミングと同様であってよい。連続するアップリンク・サブフレームの各グループは、タイムライン１１１４に関して上述したように取得される送信ギャップによって、ダウンリンク・サブフレームから分離され得る。ＵＥは、連続するアップリンク・サブフレームの各グループにおいて、（ｉ）ｅＮＢおよび／もしくはピアＵＥに送信すること、または（ｉｉ）ピアＵＥから受信すること、のいずれかが可能である。これにより、連続するアップリンク・サブフレームの任意のグループにおけるＴＸ／ＲＸまたはＲＸ／ＴＸ切替ポイントが回避され、さらに、連続するアップリンク・サブフレームの任意のグループ内における送信ギャップの必要性が回避される。Ｐ２Ｐ通信の場合、サブフレームのバンドリングによりＨＡＲＱ送信タイムラインはより長くなることがある。適切なダウンリンク−アップリンク・サブフレーム構成を選択し、かつ／または、十分な数のインターレースをＰ２Ｐ通信に割り振って、所望のＨＡＲＱ送信タイムラインを取得することができる。
【００７４】
タイムライン１１１８は、シンボルをパンクチャリングすることによって送信ギャップを取得する設計を示している。タイムライン１１１８に示す設計の場合、ＵＥのＰ２ＰタイミングはＷＡＮ  ＴＸタイミングと同様であってよい。連続するアップリンク・サブフレームの各グループは、ＷＡＮ  ＴＸ、Ｐ２Ｐ  ＴＸ、および／またはＰ２Ｐ  ＲＸに使用できる。所与のグループにおけるすべてのアップリンク・サブフレームが（ｉ）ＷＡＮ
ＴＸおよび／もしくはＰ２Ｐ  ＴＸ、または（ｉｉ）Ｐ２Ｐ  ＲＸのみに使用される場合、送信ギャップは必要とされない。所与のグループにおけるアップリンク・サブフレームがＷＡＮ／Ｐ２Ｐ  ＴＸとＰ２Ｐ  ＲＸの両方に使用される場合、送信ギャップがもたらされ得る。第１の設計では、送信ギャップは、（ｉ）グループの最後のアップリンク・サブフレーム（たとえば、サブフレーム８）で生じるようにＰ２Ｐ  ＲＸをスケジュールし、（ｉｉ）直前のアップリンク・サブフレーム（たとえば、サブフレーム７）において送られるデータ送信の最後のシンボルをパンクチャリングまたは削除することによって取得され得る。第２の設計では、送信ギャップは、（ｉ）グループの最後のアップリンク・サブフレーム（たとえば、サブフレーム８）で生じるようにＷＡＮ／Ｐ２Ｐ  ＴＸをスケジュールし、（ｉｉ）ＷＡＮ／Ｐ２Ｐ  ＴＸにおいて送られるデータ送信の最初のシンボルをパンクチャリングすることによって取得され得る。しかしながら、最初のいくつかのシンボルは通常、制御データを運んでおり、残りのシンボルは通常、トラフィックデータを運んでいるので、第２の設計における最初のシンボルの代わりに、第１の設計における最後のシンボルをパンクチャリングする方が良いことがある。
【００７５】
１つの設計では、通常はサブフレームの最後のシンボル期間にアップリンク上で送信されるサウンディング基準信号（ＳＲＳ）を送信するようにＵＥを構成することによって、サブフレームにおける送信の最後のシンボルをパンクチャリングすることができる。ただし、ＵＥは送信ギャップを取得する目的でＳＲＳを実際に送信することはない。ＳＲＳを送信するようにＵＥを構成することによって、ＵＥは、サブフレームの最後のシンボル期間を除くすべてにおいてデータが送られるようにデータを処理することができ、それにより、パンクチャリングに起因するデータ送信品質に対する影響を軽減することができる。したがって、ＳＲＳを送信するようにＵＥを構成することによって、ＬＴＥにおいて指定される機構を使用して送信の最後のシンボルを好都合にパンクチャリングすることができる。
【００７６】
タイムライン１１２０は、ＷＡＮ  ＴＸタイミングに対して（デルタ１−デルタ３）だけＰ２Ｐタイミングを遅行させることによって、送信ギャップを取得する設計を示している。連続するアップリンク・サブフレームの各グループは、ＷＡＮ  ＴＸ、Ｐ２Ｐ  ＴＸ、および／またはＰ２Ｐ  ＲＸに使用できる。所与のグループにおけるすべてのアップリンク・サブフレームが（ｉ）ＷＡＮ  ＴＸおよび／もしくはＰ２Ｐ  ＴＸ、または（ｉｉ）Ｐ２Ｐ  ＲＸのみに使用される場合、送信ギャップは必要とされない。所与のグループにおけるアップリンク・サブフレームがＷＡＮ／Ｐ２Ｐ  ＴＸとＰ２Ｐ  ＲＸの両方に使用される場合、送信ギャップがもたらされ得る。連続するアップリンク・サブフレームの最後のグループにおいて、Ｐ２Ｐ  ＴＸまたはＰ２Ｐ  ＲＸがスケジュールされ得る。Ｐ２ＰタイミングがＷＡＮ  ＴＸタイミングに対して（デルタ１−デルタ３）だけ遅行することで、（たとえば、サブフレーム１および２に示されているように）ＷＡＮ  ＴＸの後に生じるＰ２Ｐ  ＲＸ向けに（デルタ１−デルタ３）の送信ギャップが取得され得る。（ｉ）ＷＡＮ  ＴＸタイミングがＷＡＮ  ＲＸタイミングに対しデルタ１だけ先行し、（ｉｉ）Ｐ２ＰタイミングがＷＡＮ  ＴＸタイミングに対し（デルタ１−デルタ３）だけ遅行することで、（たとえば、サブフレーム３および４に示されているように）ＷＡＮ  ＲＸの前に生じるＰ２Ｐ  ＴＸ向けにデルタ３の送信ギャップが取得され得る。デルタ３は、デルタ１よりも小さいことも、デルタ１に等しいこともある。この場合、Ｐ２Ｐ  ＴＸからＷＡＮ  ＲＸへの移行およびＷＡＮ  ＴＸからＰ２Ｐ  ＲＸへの移行向けに異なるガード期間を作ることができる。
【００７７】
ＦＤＤの場合、異なるダウンリンク・スペクトルおよびアップリンク・スペクトルが、それぞれＷＡＮダウンリンクおよびＷＡＮアップリンクに使用され得る。ここでは、ＷＡＮ  ＴＸとＷＡＮ  ＲＸとの間に送信ギャップは必要とされない。アップリンク・スペクトル向けのいくつかのサブフレームが、Ｐ２Ｐ通信のために割り振られ得る。したがって、ＷＡＮ  ＴＸはＰ２Ｐ通信に干渉する可能性があり、その逆も起こり得る。表２は、１つの設計による、ＦＤＤにおける異なるＴＸ／ＲＸおよびＲＸ／ＴＸ切替ポイントについて送信ギャップを確保する様々な方法を記載したものである。
【表２】
2014212541.tif 000004
【００７８】
図１２Ａに、ＦＤＤにおける対象のＴＸ／ＲＸおよびＲＸ／ＴＸ切替ポイントについて送信ギャップを取得するいくつかの設計を示す。図１２Ａは、図７に示すサブフレーム割振りを想定しており、アップリンク・スペクトル向けのインターレース３および７がＰ２Ｐ通信に割り振られる。図１２Ａは、簡単のためにゼロの往復遅延も想定している。
【００７９】
ＷＡＮ  ＲＸタイムライン１２１２は、ＵＥがダウンリンク・スペクトル向けのすべてのサブフレームにおいてｅＮＢからデータを受信する可能性があることを示している。ＷＡＮ  ＴＸタイムライン１２１４は、ＵＥがインターレース０〜２および４〜６のサブフレームにおいてｅＮＢにデータを送信する可能性があることを示している。
【００８０】
Ｐ２Ｐタイムライン１２１６は、ＵＥのＰ２ＰタイミングがＷＡＮ  ＴＸタイミングに対してデルタ１だけ先行していることを示している。ＵＥは、アップリンク・スペクトル向けのいくつかのサブフレームにおいてピアＵＥにデータを送信し、アップリンク・スペクトル向けの他のサブフレームにおいてピアＵＥからデータを受信する可能性がある。Ｐ２ＰタイミングをＷＡＮ  ＴＸタイミングに対してデルタ１だけ先行させることによって、（たとえば、サブフレーム７および８における）Ｐ２Ｐ  ＲＸとＷＡＮ  ＴＸとの間でデルタ１の送信ギャップが取得され得る。（たとえば、サブフレーム６における）ｅＮＢに送られるデータ送信の最後のシンボルをパンクチャリングすることによって、（たとえば、サブフレーム６および７における）ＷＡＮ  ＴＸとＰ２Ｐ  ＲＸとの間でデルタ２の送信ギャップを取得することができ、この場合、デルタ２＝Ｔｓｙｍ−デルタ１であり、Ｔｓｙｍは１シンボル期間の持続時間である。デルタ１はデルタ２に等しいことも、等しくないこともある。デルタ１とデルタ２との和が小さい（たとえば、およそ５〜１０マイクロ秒）場合、（シンボル期間全体の代わりに）巡回プレフィックスの一部分を使用して送信ギャップを取得することができる。反対に、デルタ１とデルタ２との和が大きい場合、１シンボル期間を使用して送信ギャップを取得することができる。
【００８１】
ＷＡＮ  ＴＸタイムライン１２１８は、いかなるＷＡＮ送信の最後の部分も削除する必要なしに、ＵＥがインターレース０〜２および４〜６のサブフレームにおいてｅＮＢにデータを送信する可能性があることを示している。Ｐ２Ｐタイムライン１２２０は、ＵＥのＰ２ＰタイミングがＷＡＮ  ＴＸタイミングに対してデルタ１だけ遅行していることを示している。Ｐ２ＰタイミングをＷＡＮ  ＴＸタイミングに対してデルタ１だけ遅行させることによって、（たとえば、サブフレーム６および７における）ＷＡＮ  ＴＸとＰ２Ｐ  ＲＸとの間でデルタ１の送信ギャップが取得され得る。（たとえば、サブフレーム７における）Ｐ２Ｐ通信のために送られるデータ送信の最後のシンボルをパンクチャリングすることによって、（たとえば、サブフレーム７および８における）Ｐ２Ｐ  ＲＸとＷＡＮ  ＴＸとの間でデルタ２の送信ギャップが取得され得る。
【００８２】
Ｐ２Ｐタイムライン１２１４によって示される設計は、（たとえば、サブフレーム２および６における）ＷＡＮ送信の最後のシンボルをパンクチャリングすることによって、ＷＡＮ通信に影響を及ぼすことがある。Ｐ２Ｐタイムライン１２２０によって示される設計は、（たとえば、サブフレーム３および７における）Ｐ２Ｐ送信の最後のシンボルをパンクチャリングすることによって、ＷＡＮ通信への影響を回避することができる。両方の設計において、送信ギャップを取得するためにＳＲＳを実際に送信することはないとしても、ＳＲＳを送信するようにＵＥを構成することによって、サブフレームにおける送信の最後のシンボルをパンクチャリングすることができる。
【００８３】
図１２Ｂは、Ｐ２Ｐ  ＴＸサブフレームとＰ２Ｐ  ＲＸサブフレームとをバンドルすることによって、ＴＸ／ＲＸおよびＲＸ／ＴＸ切替ポイントの数を減らす設計を示している。図１２Ｂに示す例では、アップリンク・スペクトル向けの２つの連続するインターレース３および４がＰ２Ｐ通信に割り振られ得る。ＵＥは、インターレース３および４の２つの連続するサブフレームにおいてピアＵＥに送信し、次いでインターレース３および４の２つの連続するサブフレームにおいてピアＵＥから受信することができる、といった具合である。Ｐ２Ｐ  ＴＸサブフレームとＰ２Ｐ  ＲＸサブフレームとをバンドルすることによって、送信ギャップの数を半減できる。ただし、図１２Ａに示す設計と比較して、ＨＡＲＱ送信タイムラインを拡張する（たとえば、２倍にする）こともできる。
【００８４】
図１２Ｃに、特殊サブフレームを使用してＴＸ／ＲＸおよびＲＸ／ＴＸ切替ポイントについて送信ギャップを取得する設計を示す。図１２Ｃに示す例では、アップリンク・スペクトル向けの２つのインターレース２および６がＰ２Ｐ通信に割り振られ得る。インターレース３および７は、特殊サブフレームを含むように定められ得る。
【００８５】
ＷＡＮ  ＲＸタイムライン１２３２は、ＵＥがダウンリンク・スペクトル向けのすべてのサブフレームにおいてｅＮＢからデータを受信する可能性があることを示している。ＷＡＮ  ＴＸタイムライン１２３４は、ＵＥがインターレース０、１、４および５のサブフレームにおいて、またさらにインターレース３および７の特殊サブフレームのアップリンク部分において、ｅＮＢにデータを送信する可能性があることを示している。
【００８６】
Ｐ２Ｐタイムライン１２３６は、ＵＥのＰ２ＰタイミングがＷＡＮ  ＴＸタイミングに対してデルタ１だけ遅行していることを示している。ＵＥは、アップリンク・スペクトル向けのいくつかのサブフレームにおいてピアＵＥにデータを送信し、アップリンク・スペクトル向けの他のサブフレームにおいてピアＵＥからデータを受信する可能性がある。Ｐ２ＰタイミングをＷＡＮ  ＴＸタイミングに対してデルタ１だけ遅行させることによって、（たとえば、サブフレーム５および６における）ＷＡＮ  ＴＸとＰ２Ｐ  ＲＸとの間でデルタ１の送信ギャップが取得され得る。特殊サブフレームにおけるギャップにより、（たとえば、サブフレーム７における）Ｐ２Ｐ  ＲＸとＷＡＮ  ＴＸとの間でデルタ２の送信ギャップを取得することができ、この場合、デルタ２＝Ｔギャップ−デルタ１である。
【００８７】
図１１〜図１２Ｃは、ＴＤＤ展開およびＦＤＤ展開において同時のＷＡＮ通信およびＰ２Ｐ通信のためにＴＸ／ＲＸおよびＲＸ／ＴＸ切替ポイントにおいて送信ギャップを取得する様々な設計を示している。送信ギャップは他の方法で取得することもできる。
【００８８】
さらに別の態様では、ＷＡＮ通信に使用される物理チャネルおよび信号は、Ｐ２Ｐ通信に再使用できる。たとえば、Ｐ２Ｐダウンリンクおよび／またはＰ２Ｐアップリンクは、物理制御フォーマットインジケータチャネル（ＰＣＦＩＣＨ）、物理ＨＡＲＱインジケータチャネル（ＰＨＩＣＨ）、物理ダウンリンク制御チャネル（ＰＤＣＣＨ）、物理ダウンリンク共有チャネル（ＰＤＳＣＨ）、セル固有基準信号（ＣＲＳ）、ＵＥ固有の基準信号（ＵＥ−ＲＳ）、ならびに／またはＬＴＥにおいてダウンリンクに使用される他の物理チャネルおよび信号を使用することができる。Ｐ２Ｐアップリンクおよび／またはＰ２Ｐダウンリンクは、物理アップリンク制御チャネル（ＰＵＣＣＨ）、物理アップリンク共有チャネル（ＰＵＳＣＨ）、物理ランダム・アクセス・チャネル（ＰＲＡＣＨ）、ＳＲＳ、ならびに／またはＬＴＥにおいてアップリンクに使用される他の物理チャネルおよび信号を使用することができる。これらの様々な物理チャネルおよび信号は、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００８９】
本明細書で説明する技法は、様々な利点を提供することができる。第１に、Ｐ２Ｐ通信向けにＷＡＮ物理チャネルと信号とを再使用することによって、Ｐ２Ｐ通信をサポートするためのＵＥの複雑性は比較的低くなり得る。第２に、Ｐ２Ｐ通信向けにＷＡＮフレーム構造とタイムラインとを使用することによって、上記のように、ＷＡＮ通信とＰ２Ｐ通信とを同時にサポートすることが可能なことがある。第３に、かかる技法を使用して、ＦＤＤ展開とＴＤＤ展開の両方において、Ｐ２Ｐ通信をサポートすることができる。第４に、かかる技法を使用して、ＷＡＮ通信に使用されるスペクトル（たとえば、ＦＤＤ展開におけるアップリンク・スペクトル）またはＰ２Ｐ向けの専用スペクトルまたは無許可のスペクトルでのＰ２Ｐ通信をサポートすることができる。第５に、かかる技法を他の通信システム（たとえば、Ｗｉ−Ｆｉ）が採用してＰ２Ｐ通信をサポートすることができ、それにより様々なシステムにおけるＵＥがＰ２Ｐと直接通信することができる。本明細書で説明する技法は、他の利点を提供することもできる。
【００９０】
図１３に、ＷＡＮ通信とＰ２Ｐ通信とをサポートするためのプロセス１３００の設計を示す。プロセス１３００は、（以下で説明するように）第１のＵＥによって、または何らかの他のエンティティによって実行され得る。第１のＵＥは、ＷＡＮ通信のためにダウンリンク・スペクトルとアップリンク・スペクトルの両方で基地局と通信することができる（ブロック１３１２）。ブロック１３１２において、第１のＵＥは、ダウンリンク・スペクトルで基地局からデータを受信することができ、アップリンク・スペクトルで基地局にデータを送信することができる。第１のＵＥは、Ｐ２Ｐ通信のためにアップリンク・スペクトルのみで第２のＵＥと通信することができる（ブロック１３１４）。ブロック１３１４において、第１のＵＥは、アップリンク・スペクトルで第２のＵＥとの間でデータを送受信することができる。
【００９１】
１つの設計では、ＷＡＮ通信およびＰ２Ｐ通信はアップリンク・スペクトルで周波数分割多重化され得る。この設計では、第１のＵＥは、たとえば、図６Ａに示すように、（ｉ）ブロック１３１２において、基地局に対しアップリンク・スペクトルの第１の部分でデータを送信し、（ｉｉ）ブロック１３１４において、第２のＵＥに対しアップリンク・スペクトルの第２の部分でデータを送信することができる。
【００９２】
別の設計では、ＷＡＮ通信およびＰ２Ｐ通信はアップリンク・スペクトルで時分割多重化され得る。この設計では、第１のＵＥは、たとえば、図６Ｂまたは図６Ｃに示すように、（ｉ）ブロック１３１２において、基地局に対し第１のサブフレームにおいてアップリンク・スペクトルでデータを送信し、（ｉｉ）ブロック１３１４において、第２のＵＥに対し第２のサブフレームにおいてアップリンク・スペクトルでデータを送信することができる。
【００９３】
図１４に、Ｐ２Ｐ通信をサポートするためのプロセス１４００の設計を示す。プロセス１４００は、（以下で説明するように）第１のＵＥによって、または何らかの他のエンティティによって実行され得る。第１のＵＥは、Ｐ２Ｐ通信のために第１のサブフレームにおいて指定スペクトルで第２のＵＥにデータを送信することができる（ブロック１４１２）。第１のＵＥは、Ｐ２Ｐ通信のために第２のサブフレームにおいて指定スペクトルで第２のＵＥによって第１のＵＥに送られたデータを受信することができる（ブロック１４１４）。第１のサブフレームは、第２のサブフレームと時分割多重化され得る。
【００９４】
１つの設計では、第１および第２のサブフレームは、ＴＤＤを利用する基地局に関する２つのアップリンク・サブフレームに対応し得る。この設計では、指定スペクトルは、ダウンリンクとアップリンクの両方に使用されるスペクトルに対応し得る。別の設計では、第１および第２のサブフレームは、ＦＤＤを利用する基地局に関するアップリンク・スペクトル向けの２つのサブフレームに対応し得る。この設計では、指定スペクトルはアップリンク・スペクトルに対応し得る。
【００９５】
１つの設計では、第１のＵＥは、ＷＡＮ通信のために第３のサブフレームにおいて基地局と通信することができる。ＷＡＮ通信およびＰ２Ｐ通信は時分割多重化でき、第３のサブフレームは第１および第２のサブフレームと時分割多重化され得る。
【００９６】
図１５は、ＷＡＮ通信とＰ２Ｐ通信とをサポートするためのプロセス１５００の設計を示している。プロセス１５００は、（以下で説明するように）第１のＵＥによって、または何らかの他のエンティティによって実行され得る。第１のＵＥは、ＷＡＮ通信のために少なくとも１つの第１のサブフレームにおいて基地局と通信する（たとえば、基地局との間でデータを送受信する）ことができる（ブロック１５１２）。第１のＵＥは、少なくとも１つの第２のサブフレームにおいて第２のＵＥと通信することができ、少なくとも１つの第２のサブフレームは、少なくとも１つの第１のサブフレームと時分割多重化され得る（ブロック１５１４）。１つの設計では、第１のＵＥは、基地局および第２のＵＥと同時に通信することができる。
【００９７】
１つの設計では、基地局はＦＤＤを利用することがあり、ダウンリンク・スペクトルおよびアップリンク・スペクトルで動作することができる。この少なくとも１つの第１のサブフレームおよび少なくとも１つの第２のサブフレームは、アップリンク・スペクトル向けのサブフレームに対応し得る。別の設計では、基地局はＴＤＤを利用することがある。この少なくとも１つの第２のサブフレームは、基地局に関する少なくとも１つのアップリンク・サブフレームおよび／または少なくとも１つのダウンリンク・サブフレームに対応し得る。
【００９８】
図１６に、Ｐ２Ｐ通信をサポートするためのプロセス１６００の設計を示す。プロセス１６００は、（以下で説明するように）第１のＵＥによって、または何らかの他のエンティティによって実行され得る。第１のＵＥは、ＷＡＮ通信のために基地局に対し第１のサブフレームにおいて第１のデータ送信を送ることができる（ブロック１６１２）。第１のＵＥは、Ｐ２Ｐ通信のために第２のＵＥによって第１のＵＥに対し第２のサブフレームにおいて送られた第２のデータ送信を受信することができる（ブロック１６１４）。第２のデータ送信は、ＷＡＮ  ＴＸとＰ２Ｐ  ＲＸとを分離する第１の送信ギャップによって、第１のデータ送信から分離され得る。
【００９９】
第１の送信ギャップは様々な方法で取得できる。１つの設計では、（ｉ）第１のデータ送信の少なくとも１サブフレーム後に、または（ｉｉ）サブフレームの送信部分と受信部分との間のギャップを備える特殊サブフレームにおいて送られるように第２のデータ送信をスケジュールすることによって、第１の送信ギャップが取得され得る。ケース（ｉ）は、図１１のタイムライン１１１６のサブフレーム８におけるＷＡＮ  ＴＸおよび次の無線フレームのサブフレーム２におけるＰ２Ｐ  ＲＸによって示され得る。別の設計では、たとえば、図１１のタイムライン１１１８のサブフレーム７におけるＷＡＮ  ＴＸによって示されるように、第１のＵＥは第１のデータ送信の最後の部分を削除して、第１の送信ギャップを取得することができる。第１のＵＥは、第１のＵＥのためのＳＲＳ構成に基づいて、第１のデータ送信の最後のシンボル期間を削除することができる。さらに別の設計では、たとえば、図１１のタイムライン１１２０のサブフレーム７におけるＷＡＮ  ＴＸおよびサブフレーム８におけるＰ２Ｐ  ＲＸによって示されるように、第１のＵＥは、ＷＡＮ通信向け送信タイミングに対しＰ２Ｐ通信向け送信タイミングを遅行させて、第１の送信ギャップを取得することができる。さらに別の設計では、第１のＵＥは、ＷＡＮ通信向け送信タイミングに対しＰ２Ｐ通信向け送信タイミングを先行させることができる。第１のＵＥは、たとえば、図１２Ａのタイムライン１２１４および１２１６の、サブフレーム６におけるＷＡＮ  ＴＸおよびサブフレーム７におけるＰ２Ｐ  ＲＸによって示されるように、第１のデータ送信の最後の部分を削除することによって、第１の送信ギャップを取得することができる。さらに別の設計では、たとえば図１２Ｃに示すように、サブフレームの送信部分と受信部分との間のギャップを備える特殊サブフレームにおいて第１または第２のデータ送信が送られることによって、第１の送信ギャップが取得され得る。たとえば、前述の表１および表２に記載したように、他の方法で第１の送信ギャップを取得することもできる。
【０１００】
１つの設計では、第１のＵＥは、Ｐ２Ｐ通信のために第２のＵＥによって第１のＵＥに対し第３のサブフレームにおいて送られた第３のデータ送信を受信することができる（ブロック１６１６）。第１のＵＥは、ＷＡＮ通信のために基地局に対し第４のサブフレームにおいて第４のデータ送信を送ることができる（ブロック１６１８）。第４のデータ送信は、Ｐ２Ｐ  ＲＸとＷＡＮ  ＴＸとを分離する第２の送信ギャップによって、第３のデータ送信から分離され得る。前述のように、第２の送信ギャップは様々な方法で取得できる。
【０１０１】
１つの設計では、第１のＵＥは、たとえば、図１１のタイムライン１１１４によって示されるように、ＷＡＮ通信向け受信タイミングに対してＷＡＮ通信向け送信タイミングを先行させることができる。これにより、第１のＵＥ向けにＷＡＮ  ＴＸとＷＡＮ  ＲＸとの間の送信ギャップがもたらされ得る。たとえば、図１１に示すように、特殊サブフレームの使用によって、ＷＡＮ  ＲＸとＷＡＮ  ＴＸとの間の送信ギャップを取得できる。
【０１０２】
図１７Ａに、図１のＵＥの１つであり得るＵＥ１２０ｘの設計のブロック図を示す。ＵＥ１２０ｘ内において、受信機１７１２は、Ｐ２Ｐ通信のために他のＵＥによって送信されたＰ２Ｐ信号と、ＷＡＮ通信のためにｅＮＢによって送信されたダウンリンク信号とを受信することができる。送信機１７１４は、Ｐ２Ｐ通信のために他のＵＥに対しＰ２Ｐ信号を、またＷＡＮ通信のためにｅＮＢに対しアップリンク信号を送信することができる。モジュール１７１６は、Ｐ２Ｐ通信をサポートすること、たとえば、Ｐ２Ｐ通信に使用される信号を生成および処理することができる。モジュール１７１８は、ＷＡＮ通信をサポートすること、たとえば、ＷＡＮ通信に使用される信号を生成および処理することができる。モジュール１７２０は、Ｐ２Ｐ通信のために割り振られるサブフレームと、Ｐ２Ｐダウンリンクに使用されるサブフレームと、Ｐ２Ｐアップリンクに使用されるサブフレームとを決定することができる。モジュール１７２２は、ＷＡＮ通信のために利用可能なサブフレームを決定することができる。モジュール１７２４はＵＥ１２０ｘのＰ２Ｐタイミングを決定することができ、このタイミングはＷＡＮ  ＴＸタイミングに対して一致すること、先行すること、または遅行することがある。モジュール１７２６は、ＵＥ１２０ｘのＷＡＮ  ＴＸタイミングとＷＡＮ  ＲＸタイミングとを決定することができる。ＵＥ１２０ｘ内の様々なモジュールは、上記のように動作することができる。コントローラ／プロセッサ１７２８は、ＵＥ１２０ｘ内の様々なモジュールの動作を指示することができる。メモリ１７３０は、ＵＥ１２０ｘのためのデータとプログラムコードとを記憶することができる。
【０１０３】
図１７Ｂに、図１のｅＮＢの１つであり得るｅＮＢ１１０ｘの設計のブロック図を示す。ｅＮＢ１１０ｘ内において、受信機１７５２は、ＷＡＮ通信をサポートするためにＵＥによって送信されたアップリンク信号を受信することができる。送信機１７５４は、ＷＡＮ通信をサポートするためにＵＥにダウンリンク信号を送信することができる。モジュール１７５６は、ＵＥのためにＷＡＮ通信をサポートすること、たとえば、ＷＡＮ通信に使用される信号を生成および処理することができる。モジュール１７５８は、バックホールを介した他のネットワーク・エンティティ（たとえば、ｅＮＢ）との通信をサポートすることができる。モジュール１７６０は、ＷＡＮ通信のために利用可能なサブフレームを決定することができる。モジュール１７６２は、Ｐ２Ｐ通信にサブフレームを割り振ることができる。モジュール１７６４は、ｅＮＢ１１０ｘのＷＡＮ  ＴＸタイミングとＷＡＮ  ＲＸタイミングとを決定することができる。ｅＮＢ１１０ｘ内の様々なモジュールは、上記のように動作することができる。コントローラ／プロセッサ１７６８は、ｅＮＢ１１０ｘ内の様々なモジュールの動作を指示することができる。メモリ１７７０は、ｅＮＢ１１０ｘのためのデータとプログラムコードとを記憶することができる。スケジューラ１７６６は、ＵＥをＷＡＮ通信および／またはＰ２Ｐ通信用にスケジュールし、スケジュールされたＵＥにリソースを割り当てることができる。
【０１０４】
図１７ＡのＵＥ１２０ｘおよび図１７ＢのｅＮＢ１１０ｘの中のモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１０５】
図１８に、図１のｅＮＢの１つであり得るｅＮＢ１１０ｙ、および図１のＵＥの１つであり得るＵＥ１２０ｙの設計のブロック図を示す。ＥＮＢ１１０ｙはＴ個のアンテナ１８３４ａ〜１８３４ｔを装備し得、ＵＥ１２０ｙはＲ個のアンテナ１８５２ａ〜１８５２ｒを装備し得、この場合一般に、Ｔ≧１およびＲ≧１である。
【０１０６】
ｅＮＢ１１０ｙにおいて、送信プロセッサ１８２０はデータソース１８１２からの１つまたは複数のＵＥ向けのデータと、コントローラ／プロセッサ１８４０からの制御情報（たとえば、Ｐ２Ｐ通信、ＷＡＮ通信をサポートするメッセージなど）とを受信することができる。プロセッサ１８２０は、データと制御情報とを処理（たとえば、符号化および変調）して、それぞれデータシンボルと制御シンボルとを取得し得る。プロセッサ１８２０はまた、同期信号、基準信号などに関する基準シンボルを生成することができる。送信（ＴＸ）多入力多出力（ＭＩＭＯ）プロセッサ１８３０は、適用可能な場合、データシンボル、制御シンボル、および／または基準シンボルに対して空間処理（たとえば、プリコーディング）を実行し、Ｔ個の出力シンボルストリームをＴ個の変調器（ＭＯＤ）１８３２ａ〜１８３２ｔに供給することができる。各変調器１８３２は、（たとえば、ＯＦＤＭなどの）それぞれの出力シンボルストリームを処理して出力サンプルストリームを取得し得る。各変調器１８３２はさらに、ダウンリンク信号を取得するために、出力サンプルストリームを処理（たとえば、アナログへの変換、増幅、フィルタ処理、およびアップコンバート）することができる。変調器１８３２ａ〜１８３２ｔからのＴ個のダウンリンク信号は、それぞれＴ個のアンテナ１８３４ａ〜１８３４ｔを介して送信され得る。
【０１０７】
ＵＥ１２０ｙにおいて、アンテナ１８５２ａ〜１８５２ｒは、ｅＮＢ１１０ｙおよび他のｅＮＢからダウンリンク信号ならびに／または他のＵＥからのＰ２Ｐ信号を受信し得、受信信号をそれぞれ復調器（ＤＥＭＯＤ）１８５４ａ〜１８５４ｒに供給し得る。各復調器１８５４は、それぞれの受信信号を調整（たとえば、フィルタ処理、増幅、ダウンコンバート、およびデジタル化）して、入力サンプルを得ることができる。各復調器１８５４はさらに、（たとえば、ＯＦＤＭ、ＳＣ−ＦＤＭなどの）入力サンプルを処理して受信シンボルを取得し得る。ＭＩＭＯ検出器１８５６は、すべてのＲ個の復調器１８５４ａ〜１８５４ｒから受信シンボルを取得し、適用可能な場合は受信シンボルに対してＭＩＭＯ検出を実行し、検出されたシンボルを供給することができる。受信プロセッサ１８５８は、検出されたシンボルを処理（たとえば、復調および復号）し、ＵＥ１２０ｙの復号されたデータをデータシンク１８６０に供給し、復号された制御情報をコントローラ／プロセッサ１８８０に供給し得る。チャネル・プロセッサ１８８４は、Ｐ２Ｐ  ＵＥからのＰ２Ｐ信号とｅＮＢからのダウンリンク信号とを検出することができる。プロセッサ１８８４は、検出されたＰ２Ｐ信号およびダウンリンク信号の受信信号強度を測定することができ、検出されたＰ２Ｐ  ＵＥおよびｅＮＢのチャネル利得を割り出すことができる。
【０１０８】
アップリンク上では、ＵＥ１２０ｙにおいて、送信プロセッサ１８６４は、データソース１８６２からデータを受信し、コントローラ／プロセッサ１８８０から制御情報（たとえば、Ｐ２Ｐ通信、ＷＡＮ通信のメッセージなど）を受信し得る。プロセッサ１８６４は、データと制御情報とを処理（たとえば、符号化および変調）して、それぞれデータシンボルと制御シンボルとを取得し得る。プロセッサ１８６４はまた、基準信号、近接検出信号などに関するシンボルを生成することができる。送信プロセッサ１８６４からのシンボルは、適用可能な場合はＴＸ  ＭＩＭＯプロセッサ１８６６によってプリコードし、（たとえば、ＳＣ−ＦＤＭ、ＯＦＤＭなどの）変調器１８５４ａ〜１８５４ｒによってさらに処理し、ｅＮＢ１１０ｙ、他のｅＮＢおよび／または他のＵＥに送信することができる。ｅＮＢ１１０ｙにおいて、ＵＥ１２０ｙおよび他のＵＥからのアップリンク信号は、アンテナ１８３４によって受信され、復調器１８３２によって処理され、適用可能な場合はＭＩＭＯ検出器１８３６によって検出され、さらに受信プロセッサ１８３８によって処理されて、ＵＥ１２０ｙおよび他のＵＥによって送られた復号されたデータおよび制御情報が取得され得る。プロセッサ１８３８は、復号されたデータをデータシンク１８３９に供給し、復号された制御情報をコントローラ／プロセッサ１８４０に供給し得る。
【０１０９】
コントローラ／プロセッサ１８４０および１８８０は、それぞれｅＮＢ１１０ｙにおける動作およびＵＥ１２０ｙにおける動作を指示することができる。ＵＥ１２０ｙにおけるプロセッサ１８８０および／または他のプロセッサおよびモジュールは、図１３のプロセス１３００、図１４のプロセス１４００、図１５のプロセス１５００、図１６のプロセス１６００、および／または本明細書で説明する技法のための他のプロセスを実行または指示し得る。メモリ１８４２および１８８２は、それぞれｅＮＢ１１０ｙおよびＵＥ１２０ｙのためのデータとプログラムコードとを記憶することができる。通信（Ｃｏｍｍ）ユニット１８４４は、ｅＮＢ１１０ｙが他のネットワーク・エンティティと通信することを可能にし得る。スケジューラ１８４６は、ＷＡＮ通信およびＰ２Ｐ通信用にＵＥをスケジュールすることができる。
【０１１０】
一構成では、ワイヤレス通信のための装置１２０ｘおよび／または１２０ｙは、ＷＡＮ通信のためにダウンリンク・スペクトルとアップリンク・スペクトルの両方で第１のＵＥによって基地局と通信するための手段と、Ｐ２Ｐ通信のためにアップリンク・スペクトルのみで第１のＵＥによって第２のＵＥと通信するための手段とを含むことができる。
【０１１１】
別の構成では、ワイヤレス通信のための装置１２０ｘおよび／または１２０ｙは、Ｐ２Ｐ通信のために第１のサブフレームにおいて指定スペクトルで第１のＵＥから第２のＵＥにデータを送信するための手段と、Ｐ２Ｐ通信のために第２のサブフレームにおいて指定スペクトルで第２のＵＥによって第１のＵＥに送られたデータを受信するための手段とを含むことができ、第１のサブフレームは第２のサブフレームと時分割多重化され得る。
【０１１２】
さらに別の構成では、ワイヤレス通信のための装置１２０ｘおよび／または１２０ｙは、ＷＡＮ通信のために少なくとも１つの第１のサブフレームにおいて第１のＵＥによって基地局と通信するための手段と、少なくとも１つの第２のサブフレームにおいて第１のＵＥによって第２のＵＥと通信するための手段とを含むことができ、少なくとも１つの第１のサブフレームは、少なくとも１つの第２のサブフレームと時分割多重化され得る。
【０１１３】
さらに別の構成では、ワイヤレス通信のための装置１２０ｘおよび／または１２０ｙは、ＷＡＮ通信のために第１のＵＥによって基地局に対し第１のサブフレームにおいて第１のデータ送信を送るための手段と、Ｐ２Ｐ通信のために第２のＵＥによって第１のＵＥに対し第２のサブフレームにおいて送られた第２のデータ送信を受信するための手段と、Ｐ２Ｐ通信のために第２のＵＥによって第１のＵＥに対し第３のサブフレームにおいて送られた第３のデータ送信を受信するための手段と、ＷＡＮ通信のために第１のＵＥによって基地局に対し第４のサブフレームにおいて第４のデータ送信を送るための手段とを含むことができる。第２のデータ送信は、第１の送信ギャップによって第１のデータ送信から分離され得る。第４のデータ送信は、第２の送信ギャップによって第３のデータ送信から分離され得る。
【０１１４】
一態様では、上述の手段は、ＵＥ１２０ｙにおける（１つまたは複数の）プロセッサ１８５８、１８６４および／または１８８０であってよく、これらは上述の手段によって具陳される機能を実行するように構成され得る。別の態様では、上述の手段は、上述の手段によって具陳される機能を実行するように構成された１つもしくは複数のモジュールまたは任意の装置であり得る。
【０１１５】
情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１６】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じるものと解釈すべきではない。
【０１１７】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１１８】
本明細書の開示に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるように、プロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。
【０１１９】
１つまたは複数の例示的な設計では、説明した機能を、ハードウェア、ソフトウェア、ファームウェア、または任意のそれらの組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１２０】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
【図１】
2014212541.tif 000005
【図２】
2014212541.tif 000006
【図３】
2014212541.tif 000007
【図４Ａ】
2014212541.tif 000008
【図４Ｂ】
2014212541.tif 000009
【図５】
2014212541.tif 000010
【図６Ａ】
2014212541.tif 000011
【図６Ｂ】
2014212541.tif 000012
【図６Ｃ】
2014212541.tif 000013
【図７】
2014212541.tif 000014
【図８Ａ】
2014212541.tif 000015
【図８Ｂ】
2014212541.tif 000016
【図９Ａ】
2014212541.tif 000017
【図９Ｂ】
2014212541.tif 000018
【図９Ｃ】
2014212541.tif 000019
【図１０Ａ】
2014212541.tif 000020
【図１０Ｂ】
2014212541.tif 000021
【図１０Ｃ】
2014212541.tif 000022
【図１０Ｄ】
2014212541.tif 000023
【図１１】
2014212541.tif 000024
【図１２Ａ】
2014212541.tif 000025
【図１２Ｂ】
2014212541.tif 000026
【図１２Ｃ】
2014212541.tif 000027
【図１３】
2014212541.tif 000028
【図１４】
2014212541.tif 000029
【図１５】
2014212541.tif 000030
【図１６】
2014212541.tif 000031
【図１７Ａ】
2014212541.tif 000032
【図１７Ｂ】
2014212541.tif 000033
【図１８】
2014212541.tif 000034
【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ピアツーピア（Ｐ２Ｐ）通信のために第１のサブフレームにおいて指定スペクトルで第１のユーザ機器（ＵＥ）から第２のＵＥにデータを送信することと、
Ｐ２Ｐ通信のために第２のサブフレームにおいて前記指定スペクトルで前記第２のＵEによって前記第１のＵＥに送られたデータを受信することと、を備え、前記第１のサブフレームは前記第２のサブフレームと時分割多重化（ＴＤＭ）される、方法。
【請求項２】
前記第１のサブフレームおよび前記第２のサブフレームは、時分割複信（ＴＤＤ）を利用する基地局に関する２つのアップリンク・サブフレームに対応する、請求項１に記載の方法。
【請求項３】
前記第１のサブフレームおよび前記第２のサブフレームは、周波数分割複信（ＦＤＤ）を利用し、アップリンク・スペクトルおよびダウンリンク・スペクトルで動作する基地局に関する前記アップリンク・スペクトル向けの２つのサブフレームに対応する、請求項１に記載の方法。
【請求項４】
広域エリアネットワーク（ＷＡＮ）通信のために第３のサブフレームにおいて前記第１のＵＥによって基地局と通信すること、をさらに備え、前記第３のサブフレームは、前記第１のサブフレームおよび前記第２のサブフレームと時分割多重化される、請求項１に記載の方法。
【請求項５】
ワイヤレス通信のための装置であって、
ピアツーピア（Ｐ２Ｐ）通信のために第１のサブフレームにおいて指定スペクトルで第１のユーザ機器（ＵＥ）から第２のＵＥにデータを送信するための手段と、
Ｐ２Ｐ通信のために第２のサブフレームにおいて前記指定スペクトルで前記第２のＵEによって前記第１のＵＥに送られたデータを受信するための手段と、
を備え、前記第１のサブフレームは前記第２のサブフレームと時分割多重化（ＴＤＭ）される、装置。
【請求項６】
前記第１のサブフレームおよび前記第２のサブフレームは、時分割複信（ＴＤＤ）を利用する基地局に関する２つのアップリンク・サブフレームに対応する、請求項５に記載の装置。
【請求項７】
前記第１のサブフレームおよび前記第２のサブフレームは、周波数分割複信（ＦＤＤ）を利用し、アップリンク・スペクトルおよびダウンリンク・スペクトルで動作する基地局に関する前記アップリンク・スペクトル向けの２つのサブフレームに対応する、請求項５に記載の装置。
【請求項８】
ワイヤレス通信のための装置であって、
ピアツーピア（Ｐ２Ｐ）通信のために第１のサブフレームにおいて指定スペクトルで第１のユーザ機器（ＵＥ）から第２のＵＥにデータを送信し、Ｐ２Ｐ通信のために第２のサブフレームにおいて前記指定スペクトルで前記第２のＵＥによって前記第１のＵＥに送られたデータを受信するように構成された少なくとも１つのプロセッサを備え、前記第１のサブフレームは前記第２のサブフレームと時分割多重化（ＴＤＭ）される、装置。
【請求項９】
前記第１のサブフレームおよび前記第２のサブフレームは、時分割複信（ＴＤＤ）を利用する基地局に関する２つのアップリンク・サブフレームに対応する、請求項８に記載の装置。
【請求項１０】
前記第１のサブフレームおよび前記第２のサブフレームは、周波数分割複信（ＦＤＤ）を利用し、アップリンク・スペクトルおよびダウンリンク・スペクトルで動作する基地局に関する前記アップリンク・スペクトル向けの２つのサブフレームに対応する、請求項８に記載の装置。
【請求項１１】
ピアツーピア（Ｐ２Ｐ）通信のために第１のサブフレームにおいて指定スペクトルで第１のユーザ機器（ＵＥ）から第２のＵＥにデータを送信することを、少なくとも１つのプロセッサに行わせるためのコードと、
Ｐ２Ｐ通信のために第２のサブフレームにおいて前記指定スペクトルで前記第２のＵEによって前記第１のＵＥに送られたデータを受信することであって、前記第１のサブフレームは前記第２のサブフレームと時分割多重化（ＴＤＭ）されることを、前記少なくとも１つのプロセッサに行わせるためのコードと、
を備えるプログラム。
【請求項１２】
ワイヤレス通信のための方法であって、
広域ネットワーク（ＷＡＮ）通信のために少なくとも１つの第１のサブフレームにおいて第１のユーザ機器（ＵＥ）によって基地局と通信することと、
少なくとも１つの第２のサブフレームにおいて前記第１のＵＥによって第２のＵＥと通信することとを備え、前記少なくとも１つの第１のサブフレームは前記少なくとも１つの第２のサブフレームと時分割多重化（ＴＤＭ）される、方法。
【請求項１３】
前記基地局は、周波数分割複信（ＦＤＤ）を利用し、ダウンリンク・スペクトルおよびアップリンク・スペクトルで動作し、前記少なくとも１つの第１のサブフレームおよび前記少なくとも１つの第２のサブフレームは、前記アップリンク・スペクトル向けのサブフレームに対応する、請求項１２に記載の方法。
【請求項１４】
前記基地局は、時分割複信（ＴＤＤ）を利用し、前記少なくとも１つの第２のサブフレームは、前記基地局に関する少なくとも１つのダウンリンク・サブフレーム、または前記基地局に関する少なくとも１つのアップリンク・サブフレーム、または少なくとも１つのダウンリンク・サブフレームと少なくとも１つのアップリンク・サブフレームの両方に対応する、請求項１２に記載の方法。
【請求項１５】
前記基地局と前記通信すること、および前記第２のＵＥと前記通信することは、同時に生じる、請求項１２に記載の方法。
【請求項１６】
ワイヤレス通信のための装置であって、
広域ネットワーク（ＷＡＮ）通信のために少なくとも１つの第１のサブフレームにおいて第１のユーザ機器（ＵＥ）によって基地局と通信するための手段と、
少なくとも１つの第２のサブフレームにおいて前記第１のＵＥによって第２のＵＥと通信するための手段とを備え、前記少なくとも１つの第１のサブフレームは前記少なくとも１つの第２のサブフレームと時分割多重化（ＴＤＭ）される、装置。
【請求項１７】
前記基地局は、周波数分割複信（ＦＤＤ）を利用し、ダウンリンク・スペクトルおよびアップリンク・スペクトルで動作し、前記少なくとも１つの第１のサブフレームおよび前記少なくとも１つの第２のサブフレームは、前記アップリンク・スペクトル向けのサブフレームに対応する、請求項１６に記載の装置。
【請求項１８】
前記基地局は、時分割複信（ＴＤＤ）を利用し、前記少なくとも１つの第２のサブフレームは、前記基地局に関する少なくとも１つのダウンリンク・サブフレーム、または前記基地局に関する少なくとも１つのアップリンク・サブフレーム、または少なくとも１つのダウンリンク・サブフレームと少なくとも１つのアップリンク・サブフレームの両方に対応する、請求項１６に記載の装置。
【請求項１９】
前記基地局との通信および前記第２のＵＥとの通信は同時に生じる、請求項１６に記載の装置。
【請求項２０】
ワイヤレス通信のための装置であって、
広域ネットワーク（ＷＡＮ）通信のために少なくとも１つの第１のサブフレームにおいて第１のユーザ機器（ＵＥ）によって基地局と通信し、少なくとも１つの第２のサブフレームにおいて前記第１のＵＥによって第２のＵＥと通信するように構成された少なくとも１つのプロセッサを備え、前記少なくとも１つの第１のサブフレームは前記少なくとも１つの第２のサブフレームと時分割多重化（ＴＤＭ）される、装置。
【請求項２１】
前記基地局は、周波数分割複信（ＦＤＤ）を利用し、ダウンリンク・スペクトルおよびアップリンク・スペクトルで動作し、前記少なくとも１つの第１のサブフレームおよび前記少なくとも１つの第２のサブフレームは、前記アップリンク・スペクトル向けのサブフレームに対応する、請求項２０に記載の装置。
【請求項２２】
前記基地局は、時分割複信（ＴＤＤ）を利用し、前記少なくとも１つの第２のサブフレームは、前記基地局に関する少なくとも１つのダウンリンク・サブフレーム、または前記基地局に関する少なくとも１つのアップリンク・サブフレーム、または少なくとも１つのダウンリンク・サブフレームと少なくとも１つのアップリンク・サブフレームの両方に対応する、請求項２０に記載の装置。
【請求項２３】
前記少なくとも１つのプロセッサは、前記基地局および前記第２のＵＥと同時に通信するように構成される、請求項２０に記載の装置。
【請求項２４】
広域ネットワーク（ＷＡＮ）通信のために少なくとも１つの第１のサブフレームにおいて第１のユーザ機器（ＵＥ）によって基地局と通信することを、少なくとも１つのプロセッサに行わせるためのコードと、
少なくとも１つの第２のサブフレームにおいて前記第１のＵＥによって第２のＵＥと通信することであって、前記少なくとも１つの第１のサブフレームは前記少なくとも１つの第２のサブフレームと時分割多重化（ＴＤＭ）されることを、前記少なくとも１つのプロセッサに行わせるためのコードと、
を備えるプログラム。
【請求項２５】
ワイヤレス通信のための方法であって、
広域ネットワーク（ＷＡＮ）通信のために第１のユーザ機器（ＵＥ）によって基地局に第１のサブフレームにおいて第１のデータ送信を送ることと、
ピアツーピア（Ｐ２Ｐ）通信のために第２のＵＥによって前記第１のＵＥに対し第２のサブフレームにおいて送られた第２のデータ送信を受信することと、を備え、前記第２のデータ送信は、送信ギャップによって前記第１のデータ送信から分離される、方法。
【請求項２６】
前記第１のデータ送信の少なくとも１サブフレーム後に送られるように、またはサブフレームの送信部分と受信部分との間のギャップを備える前記サブフレームにおいて送られるように前記第２のデータ送信をスケジュールすることによって、前記送信ギャップが取得される、請求項２５に記載の方法。
【請求項２７】
前記送信ギャップを取得するために前記第１のデータ送信の最後の部分を削除すること、
をさらに備える、請求項２５に記載の方法。
【請求項２８】
前記第１のデータ送信の前記最後の部分を前記削除することは、前記第１のＵＥのためのサウンディング基準信号（ＳＲＳ）構成に基づいて前記第１のデータ送信の最後のシンボル期間を削除することを備える、請求項２７に記載の方法。
【請求項２９】
ＷＡＮ通信向けの前記第１のＵＥの送信タイミングに対してＰ２Ｐ通信向けの前記第１のＵＥの送信タイミングを遅行させること、
をさらに備える、請求項２５に記載の方法。
【請求項３０】
ＷＡＮ通信向けの前記第１のＵＥの送信タイミングに対してＰ２Ｐ通信向けの前記第１のＵＥの送信タイミングを先行させることをさらに備える、請求項２５に記載の方法。
【請求項３１】
前記送信ギャップは、前記第１のデータ送信の最後の部分を削除することによって取得される、請求項３０に記載の方法。
【請求項３２】
サブフレームの送信部分と受信部分との間のギャップを備える前記サブフレームにおいて前記第１のデータ送信または前記第２のデータ送信が送られることによって、前記送信ギャップが取得される、請求項２５に記載の方法。
【請求項３３】
Ｐ２Ｐ通信のために前記第２のＵＥによって前記第１のＵＥに対し第３のサブフレームにおいて送られた第３のデータ送信を受信することと、
ＷＡＮ通信のために前記第１のＵＥによって前記基地局に対し第４のサブフレームにおいて第４のデータ送信を送ることと、
をさらに備え、前記第４のデータ送信は、第２の送信ギャップによって前記第３のデータ送信から分離される、請求項２５に記載の方法。
【請求項３４】
ＷＡＮ通信向けの前記第１のＵＥの受信タイミングに対してＷＡＮ通信向けの前記第１のＵＥの送信タイミングを先行させることをさらに備える、請求項２５に記載の方法。
【請求項３５】
ワイヤレス通信のための装置であって、
広域ネットワーク（ＷＡＮ）通信のために第１のユーザ機器（ＵＥ）によって基地局に対し第１のサブフレームにおいて第１のデータ送信を送るための手段と、
ピアツーピア（Ｐ２Ｐ）通信のために第２のＵＥによって前記第１のＵＥに対し第２のサブフレームにおいて送られた第２のデータ送信を受信するための手段とを備え、前記第２のデータ送信は、送信ギャップによって前記第１のデータ送信から分離される、装置。
【請求項３６】
前記送信ギャップを取得するために前記第１のデータ送信の最後の部分を削除するための手段をさらに備える、請求項３５に記載の装置。
【請求項３７】
ＷＡＮ通信向けの前記第１のＵＥの送信タイミングに対してＰ２Ｐ通信向けの前記第１のＵＥの送信タイミングを遅行させるための手段をさらに備える、請求項３５に記載の装置。
【請求項３８】
ＷＡＮ通信向けの前記第１のＵＥの送信タイミングに対してＰ２Ｐ通信向けの前記第１のＵＥの送信タイミングを先行させるための手段をさらに備える、請求項３５に記載の装置。
【請求項３９】
Ｐ２Ｐ通信のために前記第２のＵＥによって前記第１のＵＥに対し第３のサブフレームにおいて送られた第３のデータ送信を受信するための手段と、
ＷＡＮ通信のために前記第１のＵＥによって前記基地局に対し第４のサブフレームにおいて第４のデータ送信を送るための手段と、
をさらに備え、前記第４のデータ送信は、第２の送信ギャップによって前記第３のデータ送信から分離される、請求項３５に記載の装置。
【請求項４０】
ワイヤレス通信のための装置であって、
広域ネットワーク（ＷＡＮ）通信のために第１のユーザ機器（ＵＥ）によって基地局に対し第１のサブフレームにおいて第１のデータ送信を送り、ピアツーピア（Ｐ２Ｐ）通信のために第２のＵＥによって前記第１のＵＥに対し第２のサブフレームにおいて送られた第２のデータ送信を受信するように構成された少なくとも１つのプロセッサを備え、前記第２のデータ送信は、送信ギャップによって前記第１のデータ送信から分離される、装置。
【請求項４１】
前記少なくとも１つのプロセッサは、前記送信ギャップを取得するために前記第１のデータ送信の最後の部分を削除するように構成される、請求項４０に記載の装置。
【請求項４２】
前記少なくとも１つのプロセッサは、ＷＡＮ通信向けの前記第１のＵＥの送信タイミングに対してＰ２Ｐ通信向けの前記第１のＵＥの送信タイミングを遅行させるように構成される、請求項４０に記載の装置。
【請求項４３】
前記少なくとも１つのプロセッサは、ＷＡＮ通信向けの前記第１のＵＥの送信タイミングに対してＰ２Ｐ通信向けの前記第１のＵＥの送信タイミングを先行させるように構成される、請求項４０に記載の装置。
【請求項４４】
前記少なくとも１つのプロセッサは、Ｐ２Ｐ通信のために前記第２のＵＥによって前記第１のＵＥに対し第３のサブフレームにおいて送られた第３のデータ送信を受信し、ＷＡＮ通信のために前記第１のＵＥによって前記基地局に対し第４のサブフレームにおいて第４のデータ送信を送るように構成され、前記第４のデータ送信は、第２の送信ギャップによって前記第３のデータ送信から分離される、請求項４０に記載の装置。
【請求項４５】
広域ネットワーク（ＷＡＮ）通信のために第１のユーザ機器（ＵＥ）によって基地局に対し第１のサブフレームにおいて第１のデータ送信を送ることを、少なくとも１つのプロセッサに行わせるためのコードと、
ピアツーピア（Ｐ２Ｐ）通信のために第２のＵＥによって前記第１のＵＥに対し第２のサブフレームにおいて送られた第２のデータ送信を受信することであって、前記第２のデータ送信は、送信ギャップによって前記第１のデータ送信から分離されることを、前記少なくとも１つのプロセッサに行わせるためのコードと、
を備えるプログラム。
【外国語明細書】
2014212541000001.pdf